(57)【要約】本明細書に説明されるものは、モバイル発信（ＭＯ）またはモバイル着信（ＭＴ）データ転送に続いて、ページングメッセージをリッスンするためのアクティブ時間にＵＥが費やす時間量を低減させることによって、ユーザ機器（ＵＥ）のバッテリ寿命を増加させるためのシステムおよび方法である。ネットワークノードが、ＵＥから、ＵＥの識別子と、アクティブ時間タイマの持続時間をゼロに設定するための要求とを含む、メッセージを受信し得る。ネットワークノードは、任意のＭＴトラフィックがＵＥのために利用可能であるかどうかを決定し、アクティブ時間タイマの持続時間またはＭＴデータが伝送を待機しているかどうかをＵＥに示すためのある他のインジケータを含む、メッセージをＵＥに送信し得る。【選択図】図５
2021520731.tif 000002
【特許請求の範囲】
【請求項１】
ネットワークノードにおける方法であって、前記方法は、
ネットワークノードによって、ＵＥから、アクティブ時間要求および前記ＵＥのＵＥ識別子を含む第１のメッセージを受信することと、
前記ネットワークノードによって、モバイル着信（ＭＴ）データが前記ＵＥへの伝送を待機しているかどうかに基づいて決定されるアクティブ時間応答を含む第２のメッセージを生成することと、
前記ネットワークノードによって、前記第２のメッセージを送信することと
を含む、方法。
【請求項２】
前記アクティブ時間要求は、アクティブタイマ値をゼロに設定するための要求を含み、前記アクティブ時間応答は、前記アクティブタイマ値を含み、前記方法はさらに、
前記ネットワークノードにおけるメッセージ待機インジケーション（ＭＷＩ）フラグが偽に設定されるとき、前記ネットワークノードによって、前記アクティブタイマ値をゼロに設定することと、
前記ネットワークノードにおけるＭＷＩフラグが真に設定されるとき、前記ネットワークノードによって、前記アクティブタイマ値を事前に構成された値に設定することと
を含む、請求項１に記載の方法。
【請求項３】
前記第１のメッセージは、登録メッセージまたは登録更新メッセージのいずれかを含み、前記第２のメッセージは、登録メッセージ応答または登録更新メッセージ応答のいずれかを含み、前記アクティブ時間応答は、メッセージ待機フラグを含み、前記方法はさらに、
前記ネットワークノードにおけるＭＷＩフラグが設定されているとき、前記ネットワークノードによって、前記メッセージ待機フラグを真に設定することと、
前記ネットワークノードにおけるＭＷＩフラグが設定されていないとき、前記ネットワークノードによって、前記メッセージ待機フラグを偽に設定することと
を含む、請求項１または２に記載の方法。
【請求項４】
前記登録メッセージはさらに、アタッチ要求メッセージ、ルーティングエリア更新（ＲＡＵ）要求メッセージ、追跡エリア更新（ＴＡＵ）要求メッセージ、または場所エリア更新（ＬＡＵ）要求メッセージを含む、請求項３に記載の方法。
【請求項５】
前記登録更新メッセージはさらに、アタッチ承認メッセージ、ルーティングエリア更新（ＲＡＵ）承認メッセージ、追跡エリア更新（ＴＡＵ）承認メッセージ、または場所エリア更新（ＬＡＵ）承認メッセージを含む、請求項３に記載の方法。
【請求項６】
前記第１のメッセージは、登録メッセージまたは登録更新メッセージのいずれかを含み、前記第２のメッセージは、登録メッセージ応答または登録更新メッセージ応答のいずれかを含み、前記アクティブ時間応答は、主モバイル発信（ＭＯ）トラフィック（ＭＭＯＴ）フラグを含み、前記方法はさらに、
前記ネットワークノードがＭＭＯＴをサポートするとき、前記ネットワークノードによって、前記ＭＭＯＴフラグを設定することと、
前記ネットワークノードがＭＭＯＴをサポートしないとき、前記ネットワークノードによって、前記ＭＭＯＴフラグを設定しないことと
を含む、前記請求項のいずれかに記載の方法。
【請求項７】
前記アクティブ時間応答はさらに、Ｘ１タイマ値を含む、請求項６に記載の方法。
【請求項８】
前記アクティブ時間要求は、ＭＭＯＴサポートフラグを含み、前記アクティブ時間応答は、アクティブタイマ値を含み、前記方法はさらに、
前記ネットワークノードにおけるＭＷＩフラグが設定されず、前記ＭＭＯＴサポートフラグが真に設定されるとき、前記ネットワークノードによって、前記アクティブタイマ値をゼロに設定することと、
前記ネットワークノードにおけるＭＷＩフラグが設定され、前記ＭＭＯＴサポートフラグが真に設定されるとき、前記ネットワークノードによって、前記アクティブタイマ値を事前に構成された値に設定することであって、前記事前に構成された値は、伝送を待機しているＭＴデータのタイプに基づいて決定される、ことと、
前記ＭＷＩフラグが設定され、前記ＭＭＯＴサポートフラグがゼロに設定されるとき、前記ネットワークノードによって、前記アクティブタイマ値をデフォルト値に設定することと
を含む、前記請求項のいずれかに記載の方法。
【請求項９】
前記第２のメッセージは、電力節約モード（ＰＳＭ）状態遷移インジケータを含むＳ１解放を含み、前記方法はさらに、
前記ネットワークノードにおけるＭＷＩが偽に設定されるとき、前記ネットワークノードによって、ディープスリープ状態モードを示すように前記ＰＳＭ状態遷移インジケータを設定することと、
前記ネットワークノードにおけるＭＷＩが真に設定されるとき、前記ネットワークノードによって、アクティブ時間モードを示すように前記ＰＳＭ状態遷移インジケータを設定することと
を含む、前記請求項のいずれかに記載の方法。
【請求項１０】
前記アクティブ時間要求は、セッション開始選好インジケータを含み、前記アクティブ時間応答は、アクティブタイマ値を含み、前記方法はさらに、
前記セッション開始選好インジケータがモバイルセッション発信のみ選好を示し、ＭＴデータが伝送を待機していないとき、前記アクティブタイマ値をゼロに設定することと、
前記セッション開始選好インジケータがモバイルセッション発信のみ選好を示し、オペレータ生成トラフィックを含むＭＴデータが伝送を待機しているとき、前記アクティブタイマ値を所定の値に設定することと
を含む、前記請求項のいずれかに記載の方法。
【請求項１１】
前記アクティブ時間要求は、アクティブタイマ値をゼロに設定するための要求を含み、前記アクティブ時間応答は、ゼロに設定される前記アクティブタイマ値を含み、前記方法はさらに、
前記ネットワークノードによって、接続維持インジケーションをＳ１−ＡＰ初期コンテキスト設定要求メッセージ内に設定することであって、前記接続維持インジケーションは、前記ネットワークノードにおけるＭＷＩフラグが真に設定されるとき、接続を維持するために設定され、前記接続維持インジケーションは、前記ネットワークノードにおけるＭＷＩフラグが偽に設定されるとき、前記接続を解放するために設定される、ことと、
前記ネットワークノードによって、前記Ｓ１−ＡＰ初期コンテキスト設定要求メッセージをアクセスノードに送信することと
を含む、前記請求項のいずれかに記載の方法。
【請求項１２】
前記アクティブ時間要求は、アクティブタイマ値をゼロに設定するための要求を含み、前記アクティブ時間応答は、ゼロに設定される前記アクティブタイマ値を含み、前記方法はさらに、
前記ネットワークノードによって、接続維持インジケーションをＳ１−ＡＰ  ＵＥコンテキスト再開メッセージ内に設定することであって、前記接続維持インジケーションは、前記ネットワークノードにおけるＭＷＩフラグが真に設定されるとき、接続を維持するために設定され、前記接続維持インジケーションは、前記ネットワークノードにおけるＭＷＩフラグが偽に設定されるとき、前記接続を解放するために設定される、ことと、
前記ネットワークノードによって、前記Ｓ１−ＡＰ  ＵＥコンテキスト再開メッセージをアクセスノードに送信することと
を含む、前記請求項のいずれかに記載の方法。
【請求項１３】
前記アクティブ時間要求は、アクティブタイマ値をゼロに設定するための要求を含み、前記アクティブ時間応答は、ゼロに設定される前記アクティブタイマ値を含み、前記方法はさらに、
前記ネットワークノードによって、接続維持インジケーションをダウンリンク非アクセス層（ＮＡＳ）トランスポートメッセージ内に設定することであって、前記接続維持インジケーションは、前記ネットワークノードにおけるＭＷＩフラグが真に設定されるとき、接続を維持するために設定され、前記接続維持インジケーションは、前記ネットワークノードにおけるＭＷＩフラグが偽に設定されるとき、前記接続を解放するために設定される、ことと、
前記ネットワークノードによって、前記ダウンリンクＮＡＳトランスポートメッセージをアクセスノードに送信することと
を含む、前記請求項のいずれかに記載の方法。
【請求項１４】
ユーザ機器（ＵＥ）における方法であって、前記方法は、
ＵＥによって、アクティブ時間要求および前記ＵＥのＵＥ識別子を含む第１のメッセージを生成することと、
前記ＵＥによって、前記第１のメッセージをネットワークノードに送信することと、
前記ＵＥによって、前記ネットワークノードから、アクティブ時間応答を含む第２のメッセージを受信することと、
前記ＵＥによって、前記アクティブ時間応答に基づいて、アクティブ時間値を決定することと、
前記ＵＥによって、アクティブ時間タイマを前記アクティブ時間値に設定することと、
前記ＵＥによって、モバイル発信（ＭＯ）トラフィックを送信することと、
前記アクティブ時間タイマの満了後、前記ＵＥによって、電力節約モード（ＰＳＭ）に入ることと
を含む、方法。
【請求項１５】
前記アクティブ時間要求は、前記アクティブ時間値をゼロに設定するための要求を含み、前記アクティブ時間応答は、ゼロに設定される前記アクティブ時間値を含む、請求項１４に記載の方法。
【請求項１６】
前記アクティブ時間要求は、前記アクティブ時間値を設定するための要求を含み、前記アクティブ時間応答は、メッセージ待機フラグを含み、前記方法はさらに、
前記メッセージ待機フラグが偽に設定されるとき、前記アクティブ時間値をゼロに設定することと、
前記メッセージ待機フラグが真に設定されるとき、前記アクティブ時間値を前記アクティブ時間応答内に含まれるアクティブ時間値に設定することと
を含む、請求項１４または１５に記載の方法。
【請求項１７】
前記アクティブ時間応答は、主ＭＯトラフィック（ＭＭＯＴ）サポートフラグを含み、前記方法はさらに、前記ＭＭＯＴサポートフラグが真に設定されるとき、前記アクティブ時間値を所定の時間にわたってゼロに設定することを含み、前記所定の時間は、前記ＵＥに記憶されるか、または、前記ネットワークノードから受信される、請求項１４−１６のいずれか１項に記載の方法。
【請求項１８】
前記アクティブ時間要求は、ＭＭＯＴサポートフラグを含む、請求項１４−１７のいずれか１項に記載の方法。
【請求項１９】
前記ＵＥが前記ＭＯトラフィックの送信を開始するとき、前記ＵＥによって、前記アクティブ時間タイマを開始することをさらに含む、請求項１４−１８のいずれか１項に記載の方法。
【請求項２０】
前記第２のメッセージは、ＰＳＭ状態遷移インジケータを含むＳ１解放を含み、前記方法はさらに、
前記ＰＳＭ状態インジケータがＰＳＭディープスリープ状態を示すとき、前記アクティブ時間値をゼロに設定することと、
前記ＰＳＭ状態インジケータがＰＳＭアクティブ時間を示すとき、前記アクティブ時間値を前記アクティブ時間応答内に含まれるアクティブ時間値に設定することと
を含む、請求項１４−１９のいずれか１項に記載の方法。
【請求項２１】
前記ＵＥが追跡エリア更新承認メッセージを受信するとき、前記ＵＥによって、前記アクティブ時間タイマを開始することをさらに含む、請求項１４−２０のいずれか１項に記載の方法。
【請求項２２】
前記アクティブ時間要求は、セッション開始選好を含み、前記セッション開始選好は、モバイルセッション発信のみ選好またはＭＭＯＴトラフィック選好のうちの１つ以上のものを含む、請求項１４−２１のいずれか１項に記載の方法。
【請求項２３】
ネットワークノードであって、
メモリと、
前記メモリに結合されるプロセッサであって、前記プロセッサは、
ユーザ機器（ＵＥ）から、アクティブ時間要求および前記ＵＥのＵＥ識別子を含む第１のメッセージを受信することと、
モバイル着信（ＭＴ）データが前記ＵＥへの伝送を待機しているかどうかに基づいて決定されるアクティブ時間応答を含む第２のメッセージを生成することと、
前記第２のメッセージを送信することと
を行うように構成される、プロセッサと
を備える、ネットワークノード。
【請求項２４】
前記アクティブ時間要求は、アクティブタイマ値をゼロに設定するための要求を含み、前記アクティブ時間応答は、前記アクティブタイマ値を含み、前記プロセッサはさらに、
前記ネットワークノードにおけるメッセージ待機インジケーション（ＭＷＩ）フラグが偽に設定されるとき、前記アクティブタイマ値をゼロに設定することと、
前記ネットワークノードにおけるＭＷＩフラグが真に設定されるとき、前記アクティブタイマ値を事前に構成された値に設定することと
を行うように構成される、請求項２３に記載のネットワークノード。
【請求項２５】
前記第１のメッセージは、登録メッセージまたは登録更新メッセージのいずれかを含み、前記第２のメッセージは、登録メッセージ応答または登録更新メッセージ応答のいずれかを含み、前記アクティブ時間応答は、メッセージ待機フラグを含み、前記プロセッサはさらに、
前記ネットワークノードにおけるＭＷＩフラグが設定されているとき、前記メッセージ待機フラグを真に設定することと、
前記ネットワークノードにおけるＭＷＩフラグが設定されていないとき、前記メッセージ待機フラグを偽に設定することと
を行うように構成される、請求項２３または２４に記載のネットワークノード。
【請求項２６】
前記登録メッセージはさらに、アタッチ要求メッセージ、ルーティングエリア更新（ＲＡＵ）要求メッセージ、追跡エリア更新（ＴＡＵ）要求メッセージ、または場所エリア更新（ＬＡＵ）要求メッセージを含む、請求項２５に記載のネットワークノード。
【請求項２７】
前記登録更新メッセージはさらに、アタッチ承認メッセージ、ルーティングエリア更新（ＲＡＵ）承認メッセージ、追跡エリア更新（ＴＡＵ）承認メッセージ、または場所エリア更新（ＬＡＵ）承認メッセージを含む、請求項２５に記載のネットワークノード。
【請求項２８】
前記第１のメッセージは、登録メッセージまたは登録更新メッセージのいずれかを含み、前記第２のメッセージは、登録メッセージ応答または登録更新メッセージ応答のいずれかを含み、前記アクティブ時間応答は、主モバイル発信（ＭＯ）トラフィック（ＭＭＯＴ）フラグを含み、前記プロセッサはさらに、
前記ネットワークノードがＭＭＯＴをサポートするとき、前記ＭＭＯＴフラグを設定することと、
前記ネットワークノードがＭＭＯＴをサポートしないとき、前記ＭＭＯＴフラグを設定しないことと
を行うように構成される、請求項２３−２７のいずれか１項に記載のネットワークノード。
【請求項２９】
前記アクティブ時間応答はさらに、Ｘ１タイマ値を含む、請求項２８に記載のネットワークノード。
【請求項３０】
前記アクティブ時間要求は、ＭＭＯＴサポートフラグを含み、前記アクティブ時間応答は、アクティブタイマ値を含み、前記プロセッサはさらに、
前記ネットワークノードにおけるＭＷＩフラグが設定されず、前記ＭＭＯＴサポートフラグが真に設定されるとき、前記アクティブタイマ値をゼロに設定することと、
前記ネットワークノードにおけるＭＷＩフラグが設定され、前記ＭＭＯＴサポートフラグが真に設定されるとき、前記アクティブタイマ値を事前に構成された値に設定することであって、前記事前に構成された値は、伝送を待機しているＭＴデータのタイプに基づいて決定される、ことと、
前記ＭＷＩフラグが設定され、前記ＭＭＯＴサポートフラグがゼロに設定されるとき、前記アクティブタイマ値をデフォルト値に設定することと
を行うように構成される、請求項２３−２９のいずれか１項に記載のネットワークノード。
【請求項３１】
前記第２のメッセージは、電力節約モード（ＰＳＭ）状態遷移インジケータを含むＳ１解放を含み、前記プロセッサはさらに、
前記ネットワークノードにおけるＭＷＩが偽に設定されるとき、ディープスリープ状態モードを示すように前記ＰＳＭ状態遷移インジケータを設定することと、
前記ネットワークノードにおけるＭＷＩが真に設定されるとき、アクティブ時間モードを示すように前記ＰＳＭ状態遷移インジケータを設定することと
を行うように構成される、請求項２３−３０のいずれか１項に記載のネットワークノード。
【請求項３２】
前記アクティブ時間要求は、セッション開始選好インジケータを含み、前記アクティブ時間応答は、アクティブタイマ値を含み、前記プロセッサはさらに、
前記セッション開始選好インジケータがモバイルセッション発信のみ選好を示し、ＭＴデータが伝送を待機していないとき、前記アクティブタイマ値をゼロに設定することと、
前記セッション開始選好インジケータがモバイルセッション発信のみ選好を示し、オペレータ生成トラフィックを含むＭＴデータが伝送を待機しているとき、前記アクティブタイマ値を所定の値に設定することと
を行うように構成される、請求項２３−３１のいずれか１項に記載のネットワークノード。
【請求項３３】
前記アクティブ時間要求は、アクティブタイマ値をゼロに設定するための要求を含み、前記アクティブ時間応答は、ゼロに設定される前記アクティブタイマ値を含み、前記プロセッサはさらに、
接続維持インジケーションをＳ１−ＡＰ初期コンテキスト設定要求メッセージ内に設定することであって、前記接続維持インジケーションは、前記ネットワークノードにおけるＭＷＩフラグが真に設定されるとき、接続を維持するために設定され、前記接続維持インジケーションは、前記ネットワークノードにおけるＭＷＩフラグが偽に設定されるとき、前記接続を解放するために設定される、ことと、
前記Ｓ１−ＡＰ初期コンテキスト設定要求メッセージをアクセスノードに送信することと
を行うように構成される、請求項２３−３２のいずれか１項に記載のネットワークノード。
【請求項３４】
前記アクティブ時間要求は、アクティブタイマ値をゼロに設定するための要求を含み、前記アクティブ時間応答は、ゼロに設定される前記アクティブタイマ値を含み、前記プロセッサはさらに、
接続維持インジケーションをＳ１−ＡＰ  ＵＥコンテキスト再開メッセージ内に設定することであって、前記接続維持インジケーションは、前記ネットワークノードにおけるＭＷＩフラグが真に設定されるとき、接続を維持するために設定され、前記接続維持インジケーションは、前記ネットワークノードにおけるＭＷＩフラグが偽に設定されるとき、前記接続を解放するために設定される、ことと、
前記Ｓ１−ＡＰ  ＵＥコンテキスト再開メッセージをアクセスノードに送信することと
を行うように構成される、請求項２３−３３のいずれか１項に記載のネットワークノード。
【請求項３５】
前記アクティブ時間要求は、アクティブタイマ値をゼロに設定するための要求を含み、前記アクティブ時間応答は、ゼロに設定される前記アクティブタイマ値を含み、前記プロセッサはさらに、
接続維持インジケーションをダウンリンク非アクセス層（ＮＡＳ）トランスポートメッセージ内に設定することであって、前記接続維持インジケーションは、前記ネットワークノードにおけるＭＷＩフラグが真に設定されるとき、接続を維持するために設定され、前記接続維持インジケーションは、前記ネットワークノードにおけるＭＷＩフラグが偽に設定されるとき、前記接続を解放するために設定される、ことと、
前記ダウンリンクＮＡＳトランスポートメッセージをアクセスノードに送信することと
を行うように構成される、請求項２３−３４のいずれか１項に記載のネットワークノード。
【請求項３６】
ユーザ機器（ＵＥ）であって、
メモリと、
前記メモリに結合されるプロセッサであって、前記プロセッサは、
アクティブ時間要求および前記ＵＥのＵＥ識別子を含む第１のメッセージを生成することと、
前記第１のメッセージをネットワークノードに送信することと、
前記ネットワークノードから、アクティブ時間応答を含む第２のメッセージを受信することと、
前記アクティブ時間応答に基づいて、アクティブ時間値を決定することと、
アクティブ時間タイマを前記アクティブ時間値に設定することと、
モバイル発信（ＭＯ）トラフィックを送信することと、
前記アクティブ時間タイマの満了後、電力節約モード（ＰＳＭ）に入ることと
を行うように構成される、プロセッサと
を備える、ＵＥ。
【請求項３７】
前記アクティブ時間要求は、前記アクティブ時間値をゼロに設定するための要求を含み、前記アクティブ時間応答は、ゼロに設定される前記アクティブ時間値を含む、請求項３６に記載のＵＥ。
【請求項３８】
前記アクティブ時間要求は、前記アクティブ時間値を設定するための要求を含み、前記アクティブ時間応答は、メッセージ待機フラグを含み、前記プロセッサはさらに、
前記メッセージ待機フラグが偽に設定されるとき、前記アクティブ時間値をゼロに設定することと、
前記メッセージ待機フラグが真に設定されるとき、前記アクティブ時間値を前記アクティブ時間応答内に含まれるアクティブ時間値に設定することと
を行うように構成される、請求項３６または３７に記載のＵＥ。
【請求項３９】
前記アクティブ時間応答は、主ＭＯトラフィック（ＭＭＯＴ）サポートフラグを含み、前記プロセッサはさらに、前記ＭＭＯＴサポートフラグが真に設定されるとき、前記アクティブ時間値を所定の時間にわたってゼロに設定するように構成され、前記所定の時間は、前記ＵＥに記憶される、または前記ネットワークノードから受信される、請求項３６−３８のいずれか１項に記載のＵＥ。
【請求項４０】
前記アクティブ時間要求は、ＭＭＯＴサポートフラグを含む、請求項３６−３９のいずれか１項に記載のＵＥ。
【請求項４１】
前記ＵＥが前記ＭＯトラフィックの送信を開始するとき、前記プロセッサはさらに、前記アクティブ時間タイマを開始するように構成される、請求項３６−４０のいずれか１項に記載のＵＥ。
【請求項４２】
前記第２のメッセージは、ＰＳＭ状態遷移インジケータを含むＳ１解放を含み、前記プロセッサはさらに、
前記ＰＳＭ状態インジケータがＰＳＭディープスリープ状態を示すとき、前記アクティブ時間値をゼロに設定することと、
前記ＰＳＭ状態インジケータがＰＳＭアクティブ時間を示すとき、前記アクティブ時間値を前記アクティブ時間応答内に含まれるアクティブ時間値に設定することと
を行うように構成される、請求項３６−４１のいずれか１項に記載のＵＥ。
【請求項４３】
前記ＵＥが追跡エリア更新承認メッセージを受信するとき、前記プロセッサはさらに、前記アクティブ時間タイマを開始するように構成される、請求項３６−４２のいずれか１項に記載のＵＥ。
【請求項４４】
前記アクティブ時間要求は、セッション開始選好を含み、前記セッション開始選好は、モバイルセッション発信のみ選好またはＭＭＯＴトラフィック選好のうちの１つ以上のものを含む、請求項３６−４３のいずれか１項に記載のＵＥ。
【発明の詳細な説明】
【背景技術】
【０００１】
モノのインターネット（ＩｏＴ）は、電子機器、ソフトウェア、およびセンサとともに内蔵される、デバイスのネットワークである。ＩｏＴデバイスは、コネクティビティおよび通信を有効にし、知的アプリケーションおよびサービスのためのデータを収集および交換する。ＩｏＴデバイスは、ＩｏＴ通信が可能なスマートフォン、タブレット、消費者電子機器、車両、モータ、およびセンサを含む。ＩｏＴデバイスは、ＩｏＴデバイスが無線ネットワークによって結合されるとき、セルラーＩｏＴ（ＣＩｏＴ）デバイスと称される。本願では、ＣＩｏＴデバイスは、ユーザ機器（ＵＥ）、端末機器（ＴＥ）、またはモバイル機器（ＭＥ）とも称され得る。
【０００２】
ＣＩｏＴデバイスのバッテリ寿命を増加させるために、電力節約モード（ＰＳＭ）として知られる特徴が、第３世代パートナシッププロジェクト（３ＧＰＰ）リリース１２（Ｒｅｌ−１２）に導入された。ＰＳＭは、ＧＳＭ（登録商標）ムエボリューション（ＥＤＧＥ）無線アクセスネットワーク（ＲＡＮ）のためのモバイル通信のための３ＧＰＰグローバルシステム（ＧＳＭ（登録商標））拡張データレート（ＧＥＲＡＮ）、３ＧＰＰユニバーサルモバイル電気通信システム（ＵＭＴＳ）地上ＲＡＮ（ＵＴＲＡＮ）、３ＧＰＰロングタームエボリューション（ＬＴＥ）、および５Ｇコアネットワーク（ＣＮ）、および、例えば、ＮＧ−ＲＡＮを含む、第５世代（５Ｇ）システム（５ＧＳ）を含む、他の次世代（ＮＧ）通信規格等の多くの通信規格に適用可能である。ＰＳＭは、ＵＥと上記のアクセスネットワークをサポートするＣＮとの間で制御ネゴシエートされる。Ｅ−ＵＴＲＡＮは、進化型パケットシステム（ＥＰＳ）において進化型パケットコア（ＥＰＣ）ネットワークによってサポートされる。ＮＧ−ＲＡＮは、５ＧＳにおいて５Ｇ  ＣＮによってサポートされる。アクセス層のプロトコルは、アクセスネットワークで終端されるが、非アクセス層（ＮＡＳ）のプロトコルは、コアネットワークで終端される。ＮＡＳプロトコルは、モビリティ管理プロトコルと、セッション管理プロトコルとから成る。
【０００３】
ＰＳＭディープスリープ状態におけるＵＥの電力消費は、電源オフにされたＵＥに類似するが、ＰＳＭディープスリープ状態におけるＵＥは、ネットワーク上に登録されたままである。ＰＳＭディープスリープ状態におけるＵＥは、ＰＳＭディープスリープ状態に入ると、ネットワークのリッスンを終了する、または監視を回避する。例えば、デバイスは、ネットワークとアタッチまたは登録されたまま、電源オフになる、または受信機を無効にし得る。加えて、電源オフの間に保持される任意のタイマおよび条件、例えば、ＮＡＳレベルバックオフタイマは、ＰＳＭの間、同一様式で適用され得る。さらに、ＵＥは、ＵＥが、例えば、ＰＳＭディープスリープ状態から復帰した後、ウェイクアップし、メッセージまたはデータを送信するために、ネットワークをリッスン／監視する必要があるとき、パケットデータネットワーク（ＰＤＮ）接続にアタッチする、それを確立する、またはそれを再確立するためにシグナリングするように要求されない。ある場合には、ＰＳＭディープスリープ状態から接続モードへの遷移は、ＵＥがモバイル発信（ＭＯ）データを送信する必要性、または、例えば、ＮＡＳモビリティ管理プロトコルメッセージ（例えば、ＥＰＳを使用するとき、追跡エリア更新（ＴＡＵ）メッセージ等の場所更新メッセージ）または他のＮＡＳメッセージを送信する必要性のいずれかによって、トリガされる。
【０００４】
現在、ＵＥが、データ転送を終了後、接続モードから遷移するとき、ＵＥは、アクティブ時間に入り、ＵＥは、ＰＳＭディープスリープ状態に入ることに先立って、ページングメッセージをリッスンする。ページングをリッスンする（すなわち、モバイル着信（ＭＴ）データの受信を待機する）間にＵＥによって消費される電力は、特に、ＵＥバッテリが長年持続することが予期されるとき、有意となる。計算によって、具体的バッテリ寿命を伴う１つのクラスのデバイスに関して、ページングをリッスンするときに消費される電力は、総バッテリ寿命の１２％を表すことが示されている。この点において、ＵＥがページングをより頻繁にリッスンするほど、バッテリ寿命がより多く無駄にされることになる。本書では、ＰＳＭディープスリープ状態はまた、ＰＳＭまたはＰＳＭモードと省略される場合がある。
【０００５】
あらゆるセッション（例えば、接続モード）に続いて、ページングをリッスンすることと関連付けられた電力消費影響が存在するため、ＵＥは、各セッション後にページングをリッスンするために要求されないように、ＭＯトラフィックのみ（ＭＯ  ｔｒａｆｆｉｃ  ｏｎｌｙ）または主ＭＯトラフィック（ＭＭＯＴ：ｍｏｓｔｌｙ  ＭＯ  ｔｒａｆｆｉｃ）を生成し、遅延許容可能ＭＴトラフィックを受信することが望ましいであろう。
【発明の概要】
【課題を解決するための手段】
【０００６】
故に、続く請求項に詳述されるような方法、ネットワークノード、およびユーザ機器（ＵＥ）が存在する。
【０００７】
本明細書に説明されるものは、モバイル発信（ＭＯ）またはモバイル着信（ＭＴ）データ転送に続いて、ページングメッセージをリッスンするためのアクティブ時間にＵＥが費やす時間量を低減させることによって、ＵＥのバッテリ寿命を増加させるためのシステムおよび方法である。ネットワークノードは、ＵＥから、ＵＥの識別子と、アクティブ時間タイマの持続時間をゼロに設定するための要求とを含む、メッセージを受信し得る。ネットワークノードは、任意のＭＴトラフィックがＵＥのために利用可能であるかどうかを決定し、アクティブ時間タイマの持続時間またはＭＴデータが伝送を待機しているかどうかをＵＥに示すためのある他のインジケータを含む、メッセージをＵＥに送信し得る。故に、ＭＯ転送に続く、アクティブ時間の間、常時、リッスンする代わりに、ＵＥは、ＵＥに伝送されるべきＭＴデータが存在するときのみ、アクティブ時間の間、リッスンし得る。
【０００８】
本開示のより完全な理解のために、ここで、同様の参照番号が同様の部分を表す、付随の図面および詳細な説明と関連して検討される、以下の簡潔な説明が参照される。
【図面の簡単な説明】
【０００９】
【図１】図１は、異なるモードを通して遷移するＰＳＭ対応ＵＥの伝送および受信周期を図示する、タイムラインの略図である。
【００１０】
【図２】図２は、本開示の実施形態による、ユーザ機器アーキテクチャのブロック図である。
【００１１】
【図３】図３は、本開示の実施形態による、アクティブ時間タイマを設定するためのフロー図である。
【００１２】
【図４】図４は、本開示の実施形態の例示的実装を図示する。
【００１３】
【図５】図５は、本開示の実施形態による、モビリティ管理（ＭＭ）承認メッセージを送信するためのフロー図である。
【００１４】
【図６Ａ】図６Ａ、６Ｂ、６Ｃ、６Ｄ、６Ｅ、および６Ｆは、本開示の実施形態の例示的実装を図示する。
【図６Ｂ】図６Ａ、６Ｂ、６Ｃ、６Ｄ、６Ｅ、および６Ｆは、本開示の実施形態の例示的実装を図示する。
【図６Ｃ】図６Ａ、６Ｂ、６Ｃ、６Ｄ、６Ｅ、および６Ｆは、本開示の実施形態の例示的実装を図示する。
【図６Ｄ】図６Ａ、６Ｂ、６Ｃ、６Ｄ、６Ｅ、および６Ｆは、本開示の実施形態の例示的実装を図示する。
【図６Ｅ】図６Ａ、６Ｂ、６Ｃ、６Ｄ、６Ｅ、および６Ｆは、本開示の実施形態の例示的実装を図示する。
【図６Ｆ】図６Ａ、６Ｂ、６Ｃ、６Ｄ、６Ｅ、および６Ｆは、本開示の実施形態の例示的実装を図示する。
【００１５】
【図７】図７は、本開示の実施形態による、拡張ＭＭ承認メッセージを送信するためのフロー図である。
【００１６】
【図８Ａ】図８Ａ、８Ｂ、８Ｃ、８Ｄ、および８Ｅは、本開示の実施形態の例示的実装を図示する。
【図８Ｂ】図８Ａ、８Ｂ、８Ｃ、８Ｄ、および８Ｅは、本開示の実施形態の例示的実装を図示する。
【図８Ｃ】図８Ａ、８Ｂ、８Ｃ、８Ｄ、および８Ｅは、本開示の実施形態の例示的実装を図示する。
【図８Ｄ】図８Ａ、８Ｂ、８Ｃ、８Ｄ、および８Ｅは、本開示の実施形態の例示的実装を図示する。
【図８Ｅ】図８Ａ、８Ｂ、８Ｃ、８Ｄ、および８Ｅは、本開示の実施形態の例示的実装を図示する。
【００１７】
【図９】図９は、本開示の実施形態による、ＭＭＯＴトラフィック承認メッセージを示すためのフロー図である。
【００１８】
【図１０Ａ】図１０Ａおよび１０Ｂは、本開示の実施形態の例示的実装を図示する。
【図１０Ｂ】図１０Ａおよび１０Ｂは、本開示の実施形態の例示的実装を図示する。
【００１９】
【図１１】図１１は、本開示の実施形態の例示的実装を図示する。
【００２０】
【図１２Ａ】図１２Ａおよび１２Ｂは、本開示の実施形態の例示的実装を図示する。
【図１２Ｂ】図１２Ａおよび１２Ｂは、本開示の実施形態の例示的実装を図示する。
【００２１】
【図１３】図１３は、本開示の実施形態の例示的実装を図示する。
【００２２】
【図１４Ａ】図１４Ａ、１４Ｂ、１４Ｃ、および１４Ｄは、本開示の実施形態の例示的実装を図示する。
【図１４Ｂ】図１４Ａ、１４Ｂ、１４Ｃ、および１４Ｄは、本開示の実施形態の例示的実装を図示する。
【図１４Ｃ】図１４Ａ、１４Ｂ、１４Ｃ、および１４Ｄは、本開示の実施形態の例示的実装を図示する。
【図１４Ｄ】図１４Ａ、１４Ｂ、１４Ｃ、および１４Ｄは、本開示の実施形態の例示的実装を図示する。
【００２３】
【図１５】図１５は、本開示の実施形態の例示的実装を図示する。
【００２４】
【図１６】図１６は、本開示の実施形態の例示的実装を図示する。
【００２５】
【図１７】図１７は、本開示の実施形態の例示的実装を図示する。
【００２６】
【図１８】図１８は、本開示の実施形態の例示的実装を図示する。
【００２７】
【図１９Ａ】図１９Ａ、１９Ｂ、および１９Ｃは、本開示の実施形態の例示的実装を図示する。
【図１９Ｂ】図１９Ａ、１９Ｂ、および１９Ｃは、本開示の実施形態の例示的実装を図示する。
【図１９Ｃ】図１９Ａ、１９Ｂ、および１９Ｃは、本開示の実施形態の例示的実装を図示する。
【００２８】
【図２０】図２０は、本開示の実施形態による、ＭＴトラフィックハンドリングのためのフロー図である。
【００２９】
【図２１Ａ】図２１Ａ、２１Ｂ、２１Ｃ、２１Ｄ、２１Ｅ、および２１Ｆは、本開示の実施形態の例示的実装を図示する。
【図２１Ｂ】図２１Ａ、２１Ｂ、２１Ｃ、２１Ｄ、２１Ｅ、および２１Ｆは、本開示の実施形態の例示的実装を図示する。
【図２１Ｃ】図２１Ａ、２１Ｂ、２１Ｃ、２１Ｄ、２１Ｅ、および２１Ｆは、本開示の実施形態の例示的実装を図示する。
【図２１Ｄ】図２１Ａ、２１Ｂ、２１Ｃ、２１Ｄ、２１Ｅ、および２１Ｆは、本開示の実施形態の例示的実装を図示する。
【図２１Ｅ】図２１Ａ、２１Ｂ、２１Ｃ、２１Ｄ、２１Ｅ、および２１Ｆは、本開示の実施形態の例示的実装を図示する。
【図２１Ｆ】図２１Ａ、２１Ｂ、２１Ｃ、２１Ｄ、２１Ｅ、および２１Ｆは、本開示の実施形態の例示的実装を図示する。
【００３０】
【図２２】図２２は、本開示の実施形態による、延長データ転送セッションおよびＴＡＵセッションの略図である。
【００３１】
【図２３Ａ】図２３Ａ、２３Ｂ、２３Ｃ、２３Ｄ、２３Ｅ、２３Ｆ、および２３Ｇは、本開示の実施形態の例示的実装を図示する。
【図２３Ｂ】図２３Ａ、２３Ｂ、２３Ｃ、２３Ｄ、２３Ｅ、２３Ｆ、および２３Ｇは、本開示の実施形態の例示的実装を図示する。
【図２３Ｃ】図２３Ａ、２３Ｂ、２３Ｃ、２３Ｄ、２３Ｅ、２３Ｆ、および２３Ｇは、本開示の実施形態の例示的実装を図示する。
【図２３Ｄ】図２３Ａ、２３Ｂ、２３Ｃ、２３Ｄ、２３Ｅ、２３Ｆ、および２３Ｇは、本開示の実施形態の例示的実装を図示する。
【図２３Ｅ】図２３Ａ、２３Ｂ、２３Ｃ、２３Ｄ、２３Ｅ、２３Ｆ、および２３Ｇは、本開示の実施形態の例示的実装を図示する。
【図２３Ｆ】図２３Ａ、２３Ｂ、２３Ｃ、２３Ｄ、２３Ｅ、２３Ｆ、および２３Ｇは、本開示の実施形態の例示的実装を図示する。
【図２３Ｇ】図２３Ａ、２３Ｂ、２３Ｃ、２３Ｄ、２３Ｅ、２３Ｆ、および２３Ｇは、本開示の実施形態の例示的実装を図示する。
【００３２】
【図２４Ａ】図２４Ａおよび２４Ｂは、本開示の実施形態の例示的実装を図示する。
【図２４Ｂ】図２４Ａおよび２４Ｂは、本開示の実施形態の例示的実装を図示する。
【００３３】
【図２５】図２５は、本開示の実施形態による、ネットワーク要素のブロック図を図示する。
【００３４】
【図２６】図２６は、本開示の実施形態による、ＵＥのブロック図である。
【００３５】
【図２７】図２７は、本開示のいくつかの実施形態を実装するために好適な例示的プロセッサおよび関連コンポーネントを図示する。
【発明を実施するための形態】
【００３６】
最初に、本開示の１つ以上の実施形態の例証的実装が下記に提供されるが、開示されるシステムおよび／または方法は、現在公知であるか、または存在するかどうかにかかわらず、任意の数の技法を使用して実装され得ることを理解されたい。本開示は、本明細書に例証および説明される例示的設計および実装を含む、下記に例証される例証的実装、図面、および技法にいかようにも限定されるべきではなく、それらの均等物の全範囲とともに、添付される請求項の範囲内で修正されてもよい。
【００３７】
ＵＥは、モビリティ管理メッセージ、例えば、５Ｇにおけるアタッチ解除または登録解除要求、ルーティングエリア更新、追跡エリア更新、場所エリア更新等をネットワークに送信し得る。ＵＥからのメッセージの受信に応じて、保留中のＭＴデータが存在する場合、ネットワークは、以下の制御メッセージ、例えば、５Ｇにおけるアタッチ解除承認または登録解除承認、ルーティングエリア更新承認、追跡エリア更新承認、場所エリア更新承認等を使用して、米国特許出願第１４／８３４，２１６号（参照することによってその全体として本明細書に組み込まれる）に説明されるようなプロシージャを実施し、保留中のＭＴデータを送信し得る。
【００３８】
本明細書で使用されるように、用語「ＵＥ」は、モバイル電話、携帯情報端末、ハンドヘルドまたはラップトップコンピュータ、車両または車両内のモデム、モノのインターネット（ＩｏＴ）デバイス、および電気通信能力を有する、類似デバイス等のモバイルデバイスを指し得る。そのようなＵＥは、無線デバイスと、加入者識別モジュール（ＳＩＭ）アプリケーション、ユニバーサル加入者識別モジュール（ＵＳＩＭ）アプリケーション、またはリムーバブルユーザ識別モジュール（ＲＵＩＭ）アプリケーションを含む、その関連付けられた内蔵ユニバーサル集積回路カード（ｅＵＩＣＣ）とを備える場合がある、またはそのようなカードを伴わずに、デバイス自体を備える場合がある。用語「ＵＥ」はまた、固定電話、デスクトップコンピュータ、またはセットトップボックス等、類似能力を有するが、可搬性ではない、デバイスも指し得る。用語「ＵＥ」はまた、セッションインターネットプロトコル（ＳＩＰ）セッションが終端し得る、任意のハードウェアまたはソフトウェアコンポーネントも指し得る。
【００３９】
本明細書で使用されるように、オペレータ開始ＭＴトラフィックは、セルラーオペレータによって生成され得る、ＭＴトラフィック、例えば、デバイスに送信され、その構成を変化させる、ＳＭＳメッセージを含むが、必ずしも、それらに限定されない。さらに、ネットワークまたはネットワークノードは、進化型ＮｏｄｅＢ（ｅＮＢ）、サービング汎用パケット無線サービス（ＧＰＲＳ）サポートノード（ＳＧＳＮ）、ゲートウェイＧＰＲＳサポートノード（ＧＧＳＮ）、モバイル管理エンティティ（ＭＭＥ）、パケットゲートウェイ（Ｐ−ＧＷ）、サービングゲートウェイ（Ｓ−ＧＷ）、アクセスおよびモビリティ管理機能（ＡＭＦ）、セッション管理機能（ＳＭＦ）等に及ぶエンティティの集合またはサブ集合であってもよい。ＭＭＥが、モビリティ、認証、およびセッション管理を実施し得る、第４世代機能であることは、着目に値する。５ＧまたはＮＧでは、ＭＭＥは、ＡＭＦおよびＳＭＦに分裂され得る。故に、ＡＭＦ、ＳＭＦ、およびＭＭＥは、本明細書では、同義的であり得る。
【００４０】
ＰＳＭが可能なＵＥは、ＵＥが接続モードにある時間周期の間および接続モード直後のアイドルモードの間、ＭＴサービスにのみ到達可能であり得る。アイドルモードは、ＵＥが接続モードにある時間周期に続く、アクティブ時間として知られる時間周期を含み得る。ＵＥは、アクティブ時間時間周期が切れると、ＰＳＭに入り得る。ＰＳＭは、ＭＯデータが、ショートメッセージサービス（ＳＭＳ）を使用して、またはＩＰまたは非ＩＰデータ接続を介して送信され得る、場所（地理的）報告アプリケーション、スマートメータアプリケーション報告電気使用データ等、ＭＯデータを開始する、アプリケーションに非常に好適であり得る。アクティブ時間時間周期は、アクティブ時間タイマとして知られるタイマによって表され得る。アクティブ時間タイマは、３ＧＰＰ  ＴＳ２４．００８に規定されたＴ３３２４とも称され得る。ＵＥは、アタッチの間（すなわち、ＵＥがネットワークとの初期登録を実施するとき）またはＭＭＥまたはＳＧＳＮ等のネットワークエンティティへのＴＡＵの間、アクティブ時間タイマ値を要求し得る。ＭＭＥ／ＳＧＳＮは、ＵＥがＰＳＭを使用し得るかどうかを決定し得、ＵＥがＰＳＭを使用することを可能にされる場合、ＵＥに、使用されるべきアクティブ時間タイマ値を知らせ得る。ＭＭＥ／ＳＧＳＮは、ＵＥに配分され得るアクティブ時間タイマ値を決定するために、ＵＥ要求アクティブ時間タイマ値および任意のローカルＭＭＥ／ＳＧＳＮ構成を考慮し得る。３ＧＰＰ  Ｒｅｌ−１２に基づいて、アクティブ時間タイマのための最小推奨長は、ＭＭＥ／ＳＧＳＮ内の「メッセージ待機インジケーション」が、ホーム加入者サーバ（ＨＳＳ）を介して、ＳＭＳセンタ（ＳＭＳＣ）をトリガし、ＳＭＳをＭＭＥ／ＳＧＳＮに送達することを可能にする時間、例えば、２回の断続受信（ＤＲＸ）サイクル＋１０秒である。ＤＲＸは、ＵＥのバッテリ寿命を節約するためにモバイル通信において使用される、別の方法である。ＤＲＸに関して、ＵＥおよびネットワークは、ＵＥが制御チャネルをリッスンするであろう、周期をネゴシエートし得、ＵＥが制御チャネルをリッスンしない他のＤＲＸ時間の間、ＵＥは、その受信機をオフにし、低電力状態に入り得る。
【００４１】
図１は、異なるモードを通して遷移する、ＰＳＭ対応ＵＥのタイムラインの略図である。図１に示されるように、ＵＥは、ある時間周期にわたって、例えば、第１の時間周期１１０から、第２の時間周期１２０、第３の時間周期１３０へと動作モードを変化させてもよい。第１の時間周期１１０は、ＭＯデータ転送イベント（例えば、ＳＭＳメッセージを伝送するため）によって、またはＴＡＵメッセージ転送イベント、例えば、周期的ＴＡＵによってトリガされ得る。第１の時間周期は、接続時間周期１１２と、アクティブ時間タイマ時間周期１１４とを含む。アクティブ時間タイマ時間周期１１４は、アタッチまたは前のＴＡＵプロシージャにおいて、ＭＭＥ／ＳＧＳＮから受信され得る。アクティブ時間タイマ時間周期１１４の間、ＵＥは、アイドル状態にあって、ページングメッセージをリッスンし得る。第２の時間周期１２０は、アクティブ時間タイマ時間周期１１４の満了後、開始し得る。第２の時間周期１２０の間、ＵＥは、ＰＳＭディープスリープ状態にあり得る。第２の時間周期の長さは、周期的ＴＡＵタイマ１２２として知られるタイマに従って決定され得る。周期的ＴＡＵタイマは、３ＧＰＰ  ＴＳ２４．００８に規定されるように、Ｔ３４１２とも称され得る。ＵＥは、周期的ＴＡＵタイマ時間周期１２２の終了時、ＰＳＭディープスリープ状態から復帰し、第３の時間周期１３０に移るように構成され得る。第３の時間周期１３０は、接続モード１３２と、アクティブ時間タイマ時間周期１３４とを含み得、ＭＴトラフィック、伝送ＭＯトラフィック等のために、デバイス到達可能状態にあり得る。
【００４２】
周期的ＴＡＵは、ネットワークに、ＵＥが依然としてサービスを必要とし、ネットワーク内のＵＥのコンテキストが維持されるべきであることを知らせるために使用され得る。ＵＥの周期的ＴＡＵタイマは、最後のＴＡＵまたはデータ転送イベント後に開始し得、周期的ＴＡＵメッセージは、周期的ＴＡＵタイマが切れるときに送信され得る。周期的ＴＡＵタイマおよびアクティブ時間タイマ値は両方とも、ＭＭＥ／ＳＧＳＮによって設定され得る。いくつかの実施形態では、ＰＳＭが可能なＵＥは、ＵＥ要件に従って、周期的ＴＡＵタイマおよびアクティブ時間タイマ値を要求し得る。故に、既知の周期性を伴ってＭＯメッセージを生成するアプリケーション（例えば、２４時間毎に場所報告を送信する、アセット追跡アプリケーション）に関して、ＵＥは、周期的ＴＡＵタイマ値が本時間周期より大きいこと（例えば、２５時間）を要求し得る。周期的ＴＡＵタイマＴ３４１２は、データセッションまたはＴＡＵセッションの完了後毎に、リセットされることに留意されたい。これは、不必要なＴＡＵメッセージングを回避することによって、ＵＥ内の電力を節約するであろう。ＵＥは、アタッチまたはＴＡＵプロシージャの間、周期的ＴＡＵタイマのための新しい値を要求し得る。３ＧＰＰ  ＴＳ２４．００８に規定されるように、アクティブ時間タイマのための値範囲は、０秒〜最大３．１時間であり得、周期的ＴＡＵタイマのための値範囲は、０〜４１３日であり得る。アクティブ時間タイマおよび周期的ＴＡＵタイマの他の値も、必要に応じて使用されてもよい。
【００４３】
ＰＳＭは、パケット交換（ＰＳ）ドメイン、ＳＭＳ、およびインターネットプロトコル（ＩＰ）マルチメディアサブシステム（ＩＭＳ）を使用して、ＵＥによって使用され得る。ＬＴＥ／進化型ＵＴＲＡＮ（Ｅ−ＵＴＲＡＮ）では、ＳＭＳは、無線制御チャネルを経由して、送信および受信されることができる、またはそれらは、ＩＭＳメッセージングを使用して、送信されることができる。ＳＭＳが記憶および転送プロシージャであるという事実に起因して、ＵＥに到達され得ない（すなわち、ＵＥがＰＳＭディープスリープ状態にある）ため、メッセージが送達されることができず、これが、次いで、送達が再試行されることを有効にするかどうかを示す、インジケーションが、ネットワーク内に規定される。加えて、インジケーションは、移動交換局（ＭＳＣ）／ビジタロケーションレジスタ（ＶＬＲ）、ＳＧＳＮ、ＭＭＥ内に記憶される、メッセージ待機インジケーション（ＭＷＩ）、および／またはＵＥが再び利用可能になるときに通知されるべきＳＭＳＣを示す、ホームロケーションレジスタ（ＨＬＲ）／ＨＳＳ内に記憶される、インジケーションを含み得る。
【００４４】
ある実施形態では、アクティブ時間タイマは、接続モードの終了時、例えば、接続状態からアイドル状態への遷移に続いて、開始し得る。ＭＯトラフィックを生成するアプリケーションに関して、ページングをリッスンする１つのインスタンスは、セルラーオペレータが、ＵＥにコンタクトし、セルラーオペレータが構成更新のためにメッセージ（例えば、ＳＭＳメッセージ）をＵＥに送達することを有効にすることを所望するときである。あるアプリケーションは、ＭＴトラフィックを受信する必要がない場合があり、ＵＥは、ＭＭＥに、アクティブ時間タイマ値をゼロに設定するように要求し得る。ＭＭＥが、ＵＥ要求値を全てまたはいくつかの状況において考慮せず、代わりに、ＭＭＥからの事前に構成された値に設定するように構成されている場合、ＵＥは、オペレータによって定義され、潜在的に非ゼロのアクティブ時間タイマ周期にわたってネットワークを監視するように要求されるであろう。さらに、セルラーオペレータは、セルラーオペレータがＭＴ構成メッセージをＵＥに送信する要件を有する場合、ゼロの要求アクティブ時間タイマ値を禁じるように選定する場合がある。
【００４５】
図２は、本開示の実施形態による、アテンション（ＡＴ）コマンドのためのＵＥアーキテクチャ２００のブロック図である。ＵＥアーキテクチャ２００は、端末アダプタ（ＴＡ）２１２と通信する、モバイル端末（ＭＴ）２２０を含んでもよい。ある実施形態では、ＴＡ２１２は、ＡＴコマンド（図２では、「ＡＴｃｍｄｓ」として指定される）を使用して、端末機器（ＴＥ）２１１と通信してもよい。
【００４６】
ＡＴコマンドは、ＴＥの上位層（例えば、アプリケーション層）が、ＴＥの下位層（例えば、モデムチップセット）による、データを書き込む、データを読み取る、またはプロシージャの実行を要求することを有効にし得る。下位層は、最終および／または中間応答をＡＴコマンドに提供し得る。下位層は、非請求コード、例えば、着信呼が検出されるとき、着信オンコールアナウンスメント（すなわち、ＲＩＮＧ）または均等物を応答として提供し得る。ＴＥは、ＡＴコマンドを用いてある非請求コード／応答を受信するために登録し得る。
【００４７】
図３は、本開示の実施形態による、アクティブ時間タイマＴ３３２４を設定するためのフロー図３００である。フロー図３００は、ＵＥ３１０とネットワークノード３２０との間で実装され得る。
【００４８】
ステップ３０１では、ＵＥ３１０は、ユーザ識別を含む第１のメッセージをネットワークノード３２０に送信し得る。ユーザ識別は、ＵＥ３１０に対応する。第１のメッセージは、アタッチ要求、ルーティングエリア更新（ＲＡＵ）要求、ＴＡＵ要求、および／または場所エリア更新（ＬＡＵ）要求を含んでもよい。他のタイプの要求も、必要に応じて、第１のメッセージ内に含まれてもよい。さらに、第１のメッセージは、ＵＥ３１０がＰＳＭの使用を要求することのインジケーションと、アクティブ時間タイマ値をゼロに設定するための要求とを含んでもよい。
【００４９】
ステップ３０３では、ネットワークノード３２０は、ＵＥ３１０のユーザ識別に対応するＭＷＩインジケーションが設定されているかどうかを決定し得る。ある実施形態では、ＭＷＩインジケーションは、ＵＥのために待機しているデータが存在し、データがＳＭＳまたはＭＴパケットデータユニット（ＰＤＵ）であり得ることを含意する、より汎用性のある用語であるように拡張されている。いくつかの実施形態では、ＭＷＩインジケーションはまた、例えば、オペレータ、アプリケーション、ユーザ等のデータのサブタイプを含むように拡張されている。ＵＥが本サブタイプを受信する場合、そしてそのとき、アクティブ時間タイマが起動されるべきかどうかのより多くの情報に基づいた決定を行うことができる。
【００５０】
ステップ３０４ａでは、ネットワークノード３２０は、アクティブ時間タイマ値をゼロに設定し、ユーザ識別に対応するＭＷＩインジケーションが設定されていない場合、アクティブ時間タイマ値を第２のメッセージ内に含む。
【００５１】
ステップ３０４ｂでは、ネットワークノード３２０が、ユーザ識別に対応するＭＷＩインジケーションが設定されている場合、アクティブ時間タイマ値がゼロに設定されるための要求を考慮しない。本状況では、ネットワークノード３２０は、アクティブ時間タイマ値をゼロを上回る所定の値に設定し得る。
【００５２】
第２のメッセージは、アタッチ承認、ＲＡＵ承認、ＴＡＵ承認、および／またはＬＡＵ承認またはＳ１−ＡＰメッセージ（または５Ｇ均等物）であってもよい。いくつかの実施形態では、他のデータも、必要に応じて、第２のメッセージ内に含まれてもよい。
【００５３】
ステップ３０５では、ネットワークノード３２０は、第２のメッセージをＵＥ３１０に送信し得る。
【００５４】
図４は、本開示の実施形態の例示的実装４００を図示する。実装４００は、３ＧＰＰ  ＴＳ２３．６８２によって規定された実装に対応し、本明細書に提案される変更点は、下線付きテキストによって示される。実装は、本明細書に説明される実施形態を実装するための多くのもののうちの可能性として考えられるソリューションである。
【００５５】
図５は、本開示の実施形態による、モビリティ管理（ＭＭ）承認メッセージを送信するためのフロー図５００である。フロー図５００は、ＵＥ５１０とネットワークノード５２０との間で実装されてもよい。
【００５６】
ステップ５０１では、ＵＥ５１０は、随意に、ユーザ識別およびアクティブ時間タイマの一方または両方を含む、第１のメッセージをネットワークノード５２０に送信し得る。ユーザ識別は、ＵＥ５１０に対応する。ある実施形態では、第１のメッセージは、サービス要求、アタッチ要求、ＲＡＵ要求、ＴＡＵ要求、および／またはＬＡＵ要求を含んでもよい。他の要求も、必要に応じて、第１のメッセージ内に含まれてもよい。
【００５７】
ステップ５０２では、ネットワークノード５２０は、ＵＥ５１０に送達されることを待機している任意のデータ（すなわち、ＳＭＳまたはＭＴ  ＰＤＵ等のダウンリンクデータ）が存在するかどうかを決定し得る。データが待機している場合、ＭＷＩインジケーションが真に設定され、データが待機していない場合、ＭＷＩインジケーションが偽に設定される。
【００５８】
ステップ５０３では、ネットワークノード５２０は、ステップ５０２における決定結果に対応するインジケーション、例えば、ＭＷＩインジケーションを第２のメッセージ内に含み得る。例えば、ＭＷＩインジケーションは、送達されるために待機しているデータ（例えば、ＳＭＳ、ＭＴ  ＰＤＵ等）が存在するとき、「真」に設定され得、ＭＷＩインジケーションは、送達されるために待機しているデータが存在しないとき、「偽」に設定され得る。ある実施形態では、第２のメッセージは、限定ではないが、アタッチ承認、ＲＡＵ承認、ＴＡＵ承認、および／またはＬＡＵ承認、またはＳ１−ＡＰメッセージ（または５Ｇ均等物）等を含んでもよい。いくつかの実施形態では、他のデータも、必要に応じて、第２のメッセージ内に含まれてもよい。
【００５９】
ステップ５０４では、ネットワークノード５２０は、第２のメッセージをＵＥ５１０に送信し得る。
【００６０】
ステップ５０５では、ＵＥ５１０は、第２のメッセージを受信後、ＭＯデータ（すなわち、ＳＭＳ、ＰＤＵ）またはＭＯメッセージ（例えば、周期的ＴＡＵメッセージ等）をネットワークノード５２０に送信し得る。
【００６１】
ステップ５０６では、ＵＥ５１０は、ＭＷＩインジケーションが「偽」に設定されるとき、アクティブ時間タイマを起動しないことを決定し、ＰＳＭディープスリープ状態に遷移し、ＭＷＩインジケーションが随意のインジケーション内で「真」に設定されるとき、アクティブ時間タイマを起動し、アクティブ時間タイマが切れるとき、ＰＳＭディープスリープ状態に遷移し得る。
【００６２】
随意のステップ５０７では、ＵＥ５１０は、ＵＥ５１０がＰＳＭに入りつつあることを示す、インジケーション（例えば、ＰＳＭインジケーション）を含む、モビリティ管理（ＭＭ）メッセージを送信し得る。
【００６３】
随意のステップ５０８では、ネットワークノード５２０は、ＰＳＭインジケーションを含むＭＭ要求メッセージをＵＥ５１０から受信後、ＵＥ５１０がＰＳＭディープスリープ状態に入ったことのインジケーションを設定し得る。さらに、コンテキストデータ（すなわち、ＵＥ５１０のネットワーク登録情報）は、ネットワークノード５２０に保存されてもよい。ＵＥ５１０がＰＳＭディープスリープ状態にある間、ネットワークノード５２０が、ＵＥ５１０のための任意のモバイル着信（ＭＴ）トラフィックを受信する場合、インジケーションが、送信側に返され、ＵＥ５１０が到達不可能であることを示してもよい。
【００６４】
随意のステップ５０９では、ＵＥ５１０は、アイドル状態に遷移し、ベアラを解放し得る。
【００６５】
ある実施形態では、ネットワークノード５２０は、以下のプロセスを使用して、保留中の任意のダウンリンクデータ（例えば、ＳＭＳまたはＭＴ  ＰＤＵ）が存在するかどうかを決定し得る。ある実施形態では、ネットワークノード５２０は、トラフィックのタイプを区別するために使用されるように、ＳＭＳＣアドレスまたは発信アドレスをショートメッセージ内に設定し得る（表１参照）。トラフィックのタイプを区別することは、例えば、ネットワークノード５２０の決定を実施するエンティティ内に、情報の構成を要求し得る。受信されたトラフィックのタイプを区別するために使用され得る、パラメータのセットは、下記の表１に示される。ネットワークノード５２０、ＵＥ５１０、ＵＩＣＣアプリケーション、ＴＥ等の情報が、以下に記憶される（但し、限定ではない）。
【表１】
2021520731.tif 000003
【００６６】
アドレスは、単一エントリ、複数のエントリ、またはアドレスの範囲であり得る。文字が、アドレスを表す例証目的のために、表１で使用される。
【００６７】
ある実施形態では、ネットワークノード５２０は、ＭＴデータ（例えば、ショートメッセージ）を受信し得、ＭＴデータをＵＥ５１０に送達することが不可能であり得る（例えば、ＵＥ５１０がＰＳＭである）。ネットワークノード５２０は、例えば、ＭＴデータ内のＳＭＳＣアドレスを分析し、ＳＭＳＣアドレスをネットワークノード５２０のメモリ内に記憶されるアドレス（例えば、アドレスＡ）に合致させ得る（表１参照）。ネットワークノード５２０は、合致する結果に基づいて、ＭＴデータがオペレータショートメッセージトラフィックであることを決定し得る。
【００６８】
類似動作は、他のタイプのトラフィック、例えば、ＩＰトラフィックのためにも実施されることができる。表１は、分析され、次いで、そのＩＥ内に現れ得る、可能性として考えられるエントリ（列２）に対して合致され得る、いくつかの情報要素（ＩＥ）（第１の列）を図示する。合致が見出される場合、サブタイプ（列３）が、決定される。本サブタイプは、次いで、例えば、図５のステップ５０４において、ＵＥに通信され得る。ＵＥは、次いで、受信される場合、本サブタイプを使用して、アクティブ時間タイマＴ３３２４が起動されるべきかどうかを決定する（例えば、表２参照）。
【００６９】
ある実施形態では、以下の表２は、ＵＥ５１０内に記憶され得、「アクティブ時間タイマ起動」または「アクティブ時間タイマ非起動」アクションが、ＭＷＩインジケーションステータス（例えば、「真」または「偽」）に基づいて実施され得る。実施すべきアクションは、アクティブ時間タイマ起動（例えば、ゼロを上回るアクティブ時間タイマ値が受信された）またはアクティブ時間タイマ非起動のいずれかであり得る。例えば、ＭＷＩインジケーションがあるデータタイプ、例えば、オペレータＭＴ  ＳＭＳに関して設定される場合、実施すべきアクションは、「アクティブ時間タイマ起動」であり得る。別の実施例では、ＵＥは、「ユーザ」ＳＭＳが待機していることを知らされるが、しかしながら、ＵＥは、「ユーザ」ＳＭＳを受信することを予期しておらず、したがって、アクティブ時間タイマを無視し、ＰＳＭディープスリープ状態に遷移する。そのようなＳＭＳは、デバイスが送達されるべきＳＭＳを待機する電力を消費する必要があるであろうため、バッテリを消耗させるための攻撃と見なされ得る。表２に示されるように、第１の列は、トラフィックのタイプ、例えば、オペレータＭＴ  ＳＭＳ、オペレータＭＴデータ等を表し、第２の列は、実施すべきアクション、例えば、アクティブ時間タイマ起動、アクティブ時間タイマ非起動等を表す。
【表２−１】
2021520731.tif 000004
【表２−２】
2021520731.tif 000005
【００７０】
図６Ａ、６Ｂ、６Ｃ、６Ｄ、６Ｅ、および６Ｆは、本開示の実施形態の例示的実装６００を図示する。実装６００は、３ＧＰＰ  ＴＳ２４．３０１によって規定された実装に対応し、本明細書に提案される変更点は、下線付きテキストによって示される。実装は、本明細書に説明される実施形態を実装するための多くのもののうちの可能性として考えられるソリューションである。
【００７１】
図７は、本開示の実施形態による、拡張ＭＭ承認メッセージを送信するためのフロー図７００である。フロー図７００は、ＵＥ７１０とネットワークノード７２０との間で実装されてもよい。
【００７２】
ステップ７０１では、ＵＥ７１０は、随意に、ユーザ識別を含む、第１のメッセージをネットワークノード７２０に送信し得る。ユーザ識別は、ＵＥ７１０に対応する。ある実施形態では、第１のメッセージは、サービス要求、アタッチ要求、ＲＡＵ要求、ＴＡＵ要求、レジスタおよび／またはＬＡＵ要求を含んでもよい。他の要求も、必要に応じて、第１のメッセージ内に含まれてもよい。
【００７３】
ステップ７０２では、ネットワークノード７２０は、ＵＥ７１０に送達されるために待機している任意のデータ（例えば、ＳＭＳまたはＭＴ  ＰＤＵ等のダウンリンクデータ）が存在するかどうかを決定し得る。
【００７４】
ステップ７０３では、ネットワークノード７２０は、ＵＥ７１０のために待機しているデータが存在するとき、随意のインジケーションを第２のメッセージの中に挿入する。ある実施形態では、第２のメッセージは、限定ではないが、アタッチ承認、ＲＡＵ承認、ＴＡＵ承認、登録承認、および／またはＬＡＵ承認、またはＳ１−ＡＰメッセージ（または５Ｇ均等物）を含む。いくつかの実施形態では、他のデータも、必要に応じて、第２のメッセージ内に含まれてもよい。ある実施形態では、随意のインジケーションは、「ＭＭＯＴトラフィックサポート対応」が設定されている、または「ＭＭＯＴトラフィックサポート対応」が設定されていないことを示す。「ＭＭＯＴトラフィックサポート対応」は、ＭＴデータが所定の時間にわたってネットワークノード７２０内またはネットワーク内の別のネットワークノード内に記憶され得ることを示す、またはＭＭＯＴは、デバイスがモバイル発信トラフィックを生成し、ＭＴトラフィックを受信することを所望しないが、しかしながら、オペレータ、例えば、ＳＭＳ  ＯＴＡから発信されたＭＴトラフィックを受信するように準備されることを意味する。本書のいずれかの場所には、トラフィックがオペレータからのものであるものとして特徴付けられ得る方法を説明する、説明が存在する。ＭＭＯＴはまた、本明細書では、遅延許容可能トラフィックまたは遅延許容可能ＭＴトラフィックと称され得る。
【００７５】
ステップ７０４では、ネットワークノード７２０は、タイマＸ１を第２のメッセージの中に挿入し得、アクティブ時間タイマを挿入し得る。ネットワークノード７２０は、本メッセージの送信に応じて、アクティブ時間タイマの満了に応じて、またはモビリティ管理プロシージャの完了に応じてのいずれかにおいて、タイマＸ１を開始するように設定され得る。１つの実装では、タイマＸ１が開始されると、ネットワークノード７２０は、ＵＥ７１０が、タイマＸ１の時間周期にわたって同一メッセージの中に同様に挿入されているアクティブ時間タイマを使用し得ると仮定し得る。ネットワークノード７２０はまた、タイマＸ１の周期にわたってＵＥ７１０からのアクティブ時間タイマ値の受信を予期しないと仮定し得る。代替として、タイマＸ１は、ＵＥがアクティブ時間タイマ値を含有せずに送信し得るモビリティ管理メッセージの数を示す、値を含み得るが、しかしながら、ＵＥ７１０は、依然として、タイマＸ１値とともに含まれたものと同一アクティブ時間タイマ値を使用し得る。さらに別の実装では、タイマＸ１は、ＵＥ７１０に、ＭＭＯＴが真である場合、アクティブ時間タイマを無視し得る時間を示す。
【００７６】
ステップ７０５では、ネットワークノード７２０は、第２のメッセージをＵＥ７１０に送信し得る。
【００７７】
ステップ７０６では、ＵＥ７１０は、第２のメッセージを受信後、ＭＯデータをネットワークに送信し得る。
【００７８】
ステップ７０７では、ＵＥ７１０は、随意のインジケーションステータスに基づいて、アクティブ時間タイマを無視し、ＰＳＭディープスリープ状態に入る、またはアクティブ時間タイマを実行し、アクティブ時間タイマの満了に応じて、ＰＳＭディープスリープ状態を実施することを決定し得る。アクティブ時間タイマを無視することの決定は、随意のインジケーションがＭＭＯＴトラフィックがサポートされていることを示すときに生じ、アクティブ時間タイマを実行することの決定は、随意のインジケーションがＭＭＯＴトラフィックがサポートされていないことを示すときに生じる。ＵＥ７１０が、アクティブ時間タイマを無視する場合、後のある時間に、ＭＴトラフィックを受信し得るように、アクティブ時間タイマを実行することを決定する必要がある。
【００７９】
ステップ７０８では、ＵＥ７１０は、周期的ＴＡＵタイマが切れるとき、または第２のメッセージから受信されたタイマＸ１が切れるとき、第１のメッセージの送信を繰り返し得る。ある実施形態では、タイマＸ１は、ＵＥ７１０のメモリ内またはＵＩＣＣアプリケーション上に記憶され得る（続いて、ＵＥ７１０メモリの中に読み取られる）。このように、ＵＥ７１０は、ＵＥ７１０がＭＴトラフィックをリッスンする時間をＭＯデータ転送またはＴＡＵメッセージが送信される時間から切り離し得る。故に、ＭＯセッション後毎にＭＴトラフィックをリッスンするのではなく、ＵＥ７１０は、ＭＴトラフィックを送信する際に必要とされる容認可能遅延によって決定付けられる、より低い頻度のレートにおいて、ＭＴトラフィックをリッスンし得る。ある実施形態では、タイマＸ１はまた、ＵＥに、ネットワークへのメッセージ（例えば、サービス要求、レジスタ、場所更新、追跡エリア更新等）内において、タイマＸ１の周期にわたってＵＥがアクティブ時間タイマ（例えば、ＵＥがページングチャネルを監視する必要があるタイマ）を含む必要がないことを示し得る、またはタイマＸ１は、アクティブ時間タイマを含まないネットワークに送信され得る、メッセージの数を示す、値であり得る。これらの実施形態の両方では、ＵＥによって使用されるアクティブ時間タイマ値は、タイマＸ１を含有したメッセージ内で受信された同一値である。これは、ＵＥが、ネットワークへおよびそこから、より少ない情報要素、すなわち、バイトを送信および受信し、より少ない電力を消費することを意味する。
【００８０】
図８Ａ、８Ｂ、８Ｃ、８Ｄ、および８Ｅは、本開示の実施形態の例示的実装８００を図示する。実装８００は、３ＧＰＰ  ＴＳ２４．３０１によって規定された実装に対応し、本明細書に提案される変更点は、下線付きテキストによって示される。実装は、本明細書に説明される実施形態を実装するための多くのもののうちの可能性として考えられるソリューションである。
【００８１】
図９は、本開示の実施形態による、ＭＭＯＴトラフィック承認メッセージを示すためのフロー図９００である。フロー図９００は、ＵＥ９１０とネットワークノード９２０との間で実装されてもよい。
【００８２】
ステップ９０１では、ＵＥ９１０は、随意に、ユーザ識別を含む、第１のメッセージをネットワークノード９２０に送信し得る。ユーザ識別は、ＵＥ９１０に対応する。ある実施形態では、第１のメッセージは、限定ではないが、サービス要求、アタッチ要求、ＲＡＵ要求、レジスタ、ＴＡＵ要求、および／またはＬＡＵ要求を含んでもよい。他のタイプの要求も、必要に応じて、第１のメッセージ内に含まれてもよい。さらに、ＵＥ９１０は、ＵＥ９１０がＭＭＯＴをサポートすることを示す、随意のインジケーションを含んでもよい。
【００８３】
ステップ９０２では、ネットワークノード９２０は、ＵＥ９１０に送達されるために待機している任意のデータ（すなわち、ＳＭＳまたはＭＴ  ＰＤＵ等のダウンリンクデータ）が存在するかどうかを決定し得る。本実施形態では、ＵＥ９１０に送信されるための任意のＭＭＯＴデータが存在する場合、表１の説明に示されるステップを使用して実装されてもよい。
【００８４】
ステップ９０３では、アクティブ時間タイマ値が、表３に従って決定され、第２のメッセージ内に含まれ得る。表３は、表１の拡張であって、表１に示される列に加え、表３は、第４の列を含み、決定されたＭＭＯＴデータのサブタイプに従って、可能性として考えられるアクティブ時間タイマ値を示す。
【表３】
2021520731.tif 000006
【００８５】
あるアドレスおよび部分が、表３に示される。いくつかの実施形態では、他の部分、アドレス、および／またはデータも、トラフィックのサブタイプおよび／またはアクティブ時間タイマを決定する際に使用されてもよい。第２および第４の列内に現れる文字は、例証目的のためだけのものであって、異なるデータが含有され得るが、しかしながら、データが同一であり得ることを実証するために使用されることが理解されるであろう。列２内の文字は、データを表し、データは、テキスト、数値、および英数字であってもよい。データは、単一のエントリ、エントリのグループ、エントリの範囲、またはそれらの任意の組み合わせであってもよい。
【００８６】
ある実施形態では、トラフィックの１つを上回るサブタイプが存在するとき、ネットワークノード９２０は、最高可能アクティブ時間タイマ値を表３からＵＥ９１０のためにアクティブ時間タイマ値として設定し得る。
【００８７】
ステップ９０４では、ネットワークノード９２０は、第２のメッセージをＵＥ９１０に送信し得る。
【００８８】
ステップ９０５では、ＵＥ９１０は、第２のメッセージを受信後、ＭＯデータ（例えば、ＳＭＳ、ＩＰＰＤＵ、非ＩＰＰＤＵまたは周期的ＴＡＵメッセージ）をネットワークノード９２０に送信し得る。
【００８９】
ステップ９０６では、ＵＥ９１０は、ネットワークノード９２０から受信されるアクティブ時間タイマ値を使用して、時間を開始し得る。
【００９０】
ステップ９０７では、ネットワークノード９２０は、ＵＥがアクティブ時間タイマを開始後、ＭＴデータ（例えば、ＳＭＳまたはＭＴ  ＰＤＵ）をＵＥ９１０に送信し得る。ＭＴデータは、米国特許出願第１４／８３４，２１６号のプロシージャに従って、または、例えば、アタッチ承認、ＲＡＵ承認、ＴＲＡＵ承認、ＬＡＵ承認等の他のモビリティ管理メッセージ、および登録、周期的更新、およびモビリティ管理エリアを横断した移動に起因する更新、例えば、ダウンリンクＮＡＳトランスポートを肯定応答する、メッセージの５Ｇ均等物内で伝送され得る。
【００９１】
ステップ９０８では、ＵＥ９１０は、設定されたアクティブ時間タイマが切れた後、ＰＳＭディープスリープ状態になり得る。
【００９２】
図１０Ａおよび１０Ｂは、本開示の実施形態の例示的実装１０００を図示する。実装１００は、３ＧＰＰ  ＴＳ２３．６８２によって規定された実装に対応し、本明細書に提案される変更点は、下線付きテキストによって示される。実装は、本明細書に説明される実施形態を実装するための多くのもののうちの可能性として考えられるソリューションである。
【００９３】
図１１は、本開示の実施形態の例示的実装１１００を図示する。実装１１００は、３ＧＰＰ  ＴＳ２３．４０１によって規定された実装に対応し、本明細書に提案される変更点は、下線付きテキストによって示される。実装は、本明細書に説明される実施形態を実装するための多くのもののうちの可能性として考えられるソリューションである。
【００９４】
図１２Ａおよび１２Ｂは、本開示の実施形態の例示的実装１２００を図示する。実装１２００は、３ＧＰＰ  ＴＳ２３．３０１によって規定された実装に対応し、本明細書に提案される変更点は、下線付きテキストによって示される。実装は、本明細書に説明される実施形態を実装するための多くのもののうちの可能性として考えられるソリューションである。
【００９５】
図１３は、本開示の実施形態の例示的実装１３００を図示する。実装１３００は、３ＧＰＰ  ＴＳ２４．００８によって規定された実装に対応し、本明細書に提案される変更点は、下線付きテキストによって示される。実装は、本明細書に説明される実施形態を実装するための多くのもののうちの可能性として考えられるソリューションである。
【００９６】
ある実施形態では、アクティブ時間タイマＴ３３２４は、ＵＥからネットワークノードへの第１のＴＡＵメッセージまたはデータパケット転送でトリガ／開始され得る。アクティブ時間タイマ値は、前の通信においてネットワークノードと合意される、またはＵＥがネットワークに登録するときに構成され得る。さらに、以下の２つの場合が、本状況において生じるであろう。ＵＥがアップリンクパケット（例えば、ＭＯデータまたは周期的ＴＡＵメッセージ等）を送信するとき、アクティブ時間タイマが、開始され得、ＵＥがアップリンクパケットの全てを送信する前に、アクティブ時間タイマが切れる場合、ＵＥは、送信するためのさらなるデータパケットが存在しなくなると、ＰＳＭディープスリープ状態に入り得る。ＵＥがアップリンクパケットの全てを送信する前に、アクティブ時間タイマが切れない場合、ＵＥは、接続モードからアイドルモードに、そして、アクティブ時間タイマが切れると、ＰＳＭディープスリープ状態に遷移し得る。
【００９７】
ある実施形態では、図１４Ａ−１８に関して、制御プレーン最適化データ転送プロシージャが、アイドルおよびＰＳＭディープスリープ状態遷移プロシージャをさらに最適化するように修正され得る。制御プレーン最適化は、データがＮＡＳメッセージ内で搬送されることを含み得る。したがって、ＮＡＳセキュリティを再使用し、アクセス層セキュリティ構成の使用を回避し、さらに、ユーザプレーン接続の確立と関連付けられた構成の使用を回避することが可能性として考えられ得る。これらのアクションは、電力消費改良をもたらし得る。加えて、解放補助インジケータ（ＲＡＩ）が、ＵＥによって含まれ、ネットワークノードに、セッションが、単に１つのアップリンクパケット、アップリンクパケットに続くダウンリンクパケット、またはアップリンクおよび／またはダウンリンクパケットのある他の組み合わせを含むかどうかを知らせ得る。本情報は、ネットワークノードによって使用され、無線リソース制御（ＲＲＣ）接続を解放するための最速可能時間を決定し得る。本実施形態では、制御プレーン最適化データ転送プロシージャは、ネットワークノードがＳ１接続を解放すると、ネットワークノードが、ＰＳＭ状態遷移インジケータとして知られるインジケーションを、情報要素、例えば、ＮＡＳコンテナ内において、ｅＮＢ等のアクセスノードに提供し得るように修正されてもよい。ＰＳＭ状態遷移インジケータの意味のうちの１つは、受信側エンティティに、ＲＲＣメッセージ、例えば、ＲＲＣ接続解放の受信に応じて、受信側エンティティが遷移し得る状態を示す。アクセスノードは、次いで、ネットワークノード提供インジケーションをＲＲＣ接続解放メッセージ内においてＵＥに伝達し、ＵＥに、割り当てられたアクティブ時間タイマにわたってアイドル状態のままである、または直接ＰＳＭディープスリープ状態に遷移することを示し得る。ネットワークノードは、「ＭＯ発信セッションのみ」のＵＥの前のインジケーションおよび受信／送達されるべきアップリンク／ダウンリンクパケットに基づいて、ＰＳＭ状態遷移インジケータを設定することを決定し得る。本願では、Ｓ１プロシージャは、４Ｇに関連するが、しかしながら、機能性は、Ｎ２プロシージャを使用する、５Ｇシステムに等しく適用され得ることに留意されたい。
【００９８】
図１４Ａ、１４Ｂ、１４Ｃ、および１４Ｄは、本開示の実施形態の例示的実装１４００を図示する。実装１４００は、３ＧＰＰ  ＴＳ２３．４０１によって規定された実装に対応し、本明細書に提案される変更点は、下線付きテキストによって示される。実装は、本明細書に説明される実施形態を実装するための多くのもののうちの可能性として考えられるソリューションである。
【００９９】
図１５は、本開示の実施形態の例示的実装１５００を図示する。実装１５００は、３ＧＰＰ  ＴＳ３６．４１３によって規定された実装に対応し、本明細書に提案される変更点は、下線付きテキストによって示される。実装は、本明細書に説明される実施形態を実装するための多くのもののうちの可能性として考えられるソリューションである。
【０１００】
図１６は、本開示の実施形態の例示的実装１６００を図示する。実装１６００は、３ＧＰＰ  ＴＳ２４．３０１によって規定された実装に対応し、本明細書に提案される変更点は、下線付きテキストによって示される。実装は、本明細書に説明される実施形態を実装するための多くのもののうちの可能性として考えられるソリューションである。
【０１０１】
別の実施形態では、ＵＥ内に構成される周期的ＴＡＵタイマのリセットは、初期アタッチ後、かつＴＡＵプロシージャ（またはＲＡＵプロシージャ）の完了後、実施され得る。故に、周期的ＴＡＵタイマは、各データ転送の完了後、リセットされない場合がある。ＵＥが周期的ＴＡＵプロシージャを実施する度に、ＵＥは、アクティブ時間タイマに示される時間にわたって、アイドル状態のままであり得、その間、ＵＥは、オペレータからのページングおよびＭＴメッセージをリッスンし得る。ＵＥが、ＭＯデータのみを生成するとき、ＵＥは、ＲＲＣ接続解放に続いて、直接、接続状態からＰＳＭディープスリープ状態に遷移し得る。
【０１０２】
本実施形態では、ＵＥは、オペレータによって最終的に設定された（すなわち、周期的ＴＡＵタイマによって決定された）所与の構成可能最大待ち時間を伴って、オペレータによって生成されたＭＴトラフィックを受信し得る。加えて、ＵＥは、ＭＯトラフィックを送信するときの他の機会にＭＴトラフィックを不必要にリッスンすることを回避し、関連付けられた電力消費コストを回避し得る。
【０１０３】
図１７は、本開示の実施形態の例示的実装１７００を図示する。実装１７００は、３ＧＰＰ  ＴＳ２３．６８２によって規定された実装に対応し、本明細書に提案される変更点は、下線付きテキストによって示される。実装は、本明細書に説明される実施形態を実装するための多くのもののうちの可能性として考えられるソリューションである。
【０１０４】
図１８は、本開示の実施形態の例示的実装１８００を図示する。実装１８００は、３ＧＰＰ  ＴＳ２４．３０１によって規定された実装に対応し、本明細書に提案される変更点は、下線付きテキストによって示される。実装は、本明細書に説明される実施形態を実装するための多くのもののうちの可能性として考えられるソリューションである。
【０１０５】
別の実施形態では、ＵＥが、ネットワークに、アタッチ、ＴＡＵプロシージャ、ＲＡＵプロシージャ等の間、ＵＥまたはそのアプリケーションがＭＯセッションのみ必要があることを示すとき、ネットワークノードは、ＵＥに伝送するＭＴトラフィックのみが、オペレータ／ネットワークが生成し得るＭＴトラフィックであることを識別し得る。オペレータ／ネットワークが、保留中のＭＴトラフィックを有していない場合、ＵＥがＰＳＭに戻ることを促す、すなわち、アクティブ時間タイマをトリガしないことが可能性として考えられ得る。しかしながら、オペレータ／ネットワーク生成ＭＴトラフィックが、保留中である場合、ネットワークノードは、本開示に説明される前述の実施形態のうちの１つまたは任意の組み合わせを開始し得る。
【０１０６】
いくつかの実施形態では、ＵＥが、ネットワークノードに、ＭＯセッションのみが必要があること、またはＭＭＯＴトラフィックがサポートされないであろうこに等、具体的要件を示すことは、ＡＴコマンドを使用して行われてもよい。例えば、「設定」ＡＴコマンドが、ネットワークにＵＥの構成を知らせ、オペレータがモバイル着信セッションを始める必要がない限り、ＭＯセッションのみに参加することを予期するように、モデムに知らせるために使用されてもよい。
【０１０７】
既存の「設定」ＡＴコマンドは、修正されてもよい、または異なる「設定」ＡＴコマンドが、作成されてもよい。図１９Ａ、１９Ｂ、および１９Ｃは、本開示の実施形態の例示的実装１９００を図示する。本明細書で提案される変更点は、下線付きテキストによって示される。実装は、本明細書に説明される実施形態を実装するための多くのもののうちの可能性として考えられるソリューションである。異なる「設定」ＡＴコマンドが、ネットワークにＵＥの選好または構成を知らせるために必要とされる情報を提供するように作成されてもよい。
【０１０８】
ある実施形態では、前述の実施形態のうちの１つ以上のものは、ＵＥのバッテリ寿命を向上させるために組み合わせられてもよい。本実施形態では、図２０に関して、随意の向上を含む、実施形態の１つのそのような可能性として考えられる組み合わせが、議論され、本明細書に説明される異なる実施形態の他の可能性として考えられる組み合わせにも等しく適用可能であり得る。図２０に示されるように、フロー図２０００は、ＵＥ２０１０とネットワークノード２０２０との間で実装されてもよい。ＴＡ２０１４およびＴＥ２０１２は、ＵＥ２０１０の中に統合される。ネットワークノード２０２０は、ＭＭＥまたはＳＧＳＮ等のネットワークノードを含んでもよい。
【０１０９】
ステップ２００１：ネットワークノード２０２０は、ＭＴデータを受信し得る。受信されたＭＴデータは、ＭＴデータが待機していることを示す、ＳＭＳ、ＭＴ  ＰＤＵ、または制御メッセージを含んでもよい。メッセージは、ＭＴデータのタイプ／サブタイプを含有してもよい。
【０１１０】
ステップ２００２：ネットワークノード２０２０は、ＵＥ２０１０にコンタクトすることを試み得、不成功に終わり得る。ＵＥ２０１０は、ＰＳＭディープスリープ状態にあり得、したがって、ＵＥ２０１０は、ネットワークノード２０２０によって到達可能ではない場合がある。
【０１１１】
ステップ２００３：ネットワークノード２０２０は、ＭＴデータが待機していることを示す、インジケーションを記憶し得る。インジケーションはまた、ＳＭＳ、ＭＴ  ＰＤＵ等のＭＴデータのタイプ、および／またはアプリケーション、オペレータメッセージ、またはユーザメッセージ等のＭＴデータのサブタイプを含んでもよい。データのサブタイプを決定する方法が、本願内のいずれかの場所に説明されている。
【０１１２】
ステップ２００４：ＴＥ２０１２は、ＴＡ２０１４を使用して、ＡＴコマンドを使用して（前述のように）、「ＭＯセッションのみ必要がある」、「ＭＭＯＴトラフィックがサポートされるであろう」等の随意のインジケータをネットワークノードに送信されるＵＥ２０１０メッセージ内に含み得る。
【０１１３】
ステップ２００５：ＵＥ２０１０は、第１のメッセージをネットワークノード２０２０に送信し得る。第１のメッセージは、随意に、ＵＥ２０１０に対応するユーザ識別を含んでもよい。ある実施形態では、第１のメッセージは、サービス要求、アタッチ要求、ＲＡＵ要求、ＴＡＵ要求、レジスタおよび／またはＬＡＵ要求を含んでもよい。他のタイプの要求も、必要に応じて、第１のメッセージ内に含まれてもよい。
【０１１４】
ステップ２００６：ネットワークノード２０２０は、ＵＥ２０１０に送達されるために待機している任意のデータ（すなわち、ＳＭＳまたはＭＴ  ＰＤＵ等のダウンリンクデータ）が存在するかどうかを決定し得、ネットワークノード２０２０は、データ可用性を示すインジケーションを含む、第２のメッセージをＵＥ２０１０に送信し得る。
【０１１５】
ステップ２００７：ＴＡ２０１４は、ＴＥ２０１２に、ステップ２００６において受信されたデータを送信し得る。ＴＡ２０１４からのデータの受信に応じて、ＴＥ２０１２は、ＵＥが、ＰＳＭディープスリープ状態に遷移する、またはアクティブ時間タイマＴ３３２４を受け入れるべきであるかどうかを決定し得る。
【０１１６】
ステップ２００８：ＵＥ２０１０は、ネットワークノード２０２０に、アクティブ時間タイマＴ３３２４の満了時のネットワークからのＵＥ２０１０のアタッチ解除またはＵＥがＰＳＭディープスリープ状態モードに入りつつあることを示す、第３のメッセージを送信し得る。
【０１１７】
図２１Ａ、２１Ｂ、２１Ｃ、２１Ｄ、２１Ｅ、および２１Ｆは、本開示の実施形態の例示的実装２１００を図示する。実装２１００は、３ＧＰＰ  ＴＳ２４．３０１によって規定された実装に対応し、本明細書に提案される変更点は、下線付きテキストによって示される。実装は、本明細書に説明される実施形態を実装するための多くのもののうちの可能性として考えられるソリューションである。
【０１１８】
図２２は、本開示の実施形態による、延長データ転送セッションおよびＴＡＵセッションの略図である。データ転送セッションおよびＴＡＵセッションは、「接続維持インジケーション」がネットワークノードに設定されるかどうかに従って、必要に応じて延長される。加えて、本願のいずれかの場所に規定されるようなタイマ値もまた、送信されてもよい。
【０１１９】
ある実施形態では、オペレータは、要求される最大待ち時間（ＴＯｐＣｆｇとして指定される）内でＵＥを構成することが可能である必要があり得る。オペレータは、ＵＥが、少なくとも周期的ＴＡＵタイマ毎に、ネットワークにアクセスするであろうことを認知し得る。本実施形態では、周期的ＴＡＵタイマは、ＴＴＡＵ秒として指定され得る。オペレータは、ＴＴＡＵをＴＯｐＣｆｇ未満またはそれに等しく設定してもよい。オペレータが、全てのＵＥが２４時間以内に更新される（すなわち、ＴＯｐＣｆｇ＝２４時間）ことを要求する場合、オペレータは、ＴＴＡＵを２４時間またはそれ未満に設定してもよい。故に、オペレータは、新しく設定されたＴＴＡＵに従って、ＵＥがネットワークにアクセスすると、構成データをＵＥに転送し得る。ＲＲＣ接続は、「ＴＡＵセッション」の一部として、または「データ転送セッション」の一部としてのいずれかにおいて、オペレータ生成ＭＴトラフィック送達の目的のために、より長く保持されてもよい。
【０１２０】
図２２は、３つのＵＥ（ＵＥ＃１、Ｅ＃２、およびＵＥ＃３として指定される）および３つのトレース２２０１、２２０２、および２２０３の例証的実施例を含む。図２２に示されるように、ＵＥ＃１は、左から右に、ＴＡＵセッション２２０９および後続の一連のデータ転送（すなわち、ＭＯデータ）セッション２２０６を含む、トレース２２０１を辿り得、ＵＥ＃２は、左から右に、一連のＴＡＵセッション２２１０および２２０７を含む、トレース２２０２を辿り得、ＵＥ＃３は、左から右に、データ転送セッション２２１１および後続の一連のＴＡＵセッション２２０８を含む、トレース２２０３を辿り得る。オペレータは、時間インジケーション２２０４において、デバイス構成ロールアウトを開始し得、時間インジケーション２２０５において、デバイス構成ロールアウトを終了し、時間２２０４と時間２２０５との間の持続時間は、ＴＯｐＣｆｇである。
【０１２１】
第１のトレース２２０１では、第１のデータ転送イベント２２０６は、インジケーション２２０４の後かつインジケーション２２０５の前に生じる。したがって、ＵＥ＃１のためのオペレータ構成は、第１のデータ転送セッション２２０６の間にトリガされ得、セッション２２０６は、オペレータ構成データ送達を促進するように延長される。同様に、図２２に示されるように、ＴＯｐＣｆｇウィンドウ内に生じる、ＵＥ＃２およびＵＥ＃３の第１のＴＡＵセッション２２０７および２２０８も、延長され得る。
【０１２２】
ある実施形態では、データ転送セッションの持続時間の制御は、ユーザプレーン最適化および制御プレーン最適化における、２つのオプションを含み得る。ある実施形態では、規則的ユーザプレーンおよびユーザプレーン最適化は、以下のステップを含み得る。
【０１２３】
ステップ１では、ＵＥは、第１のメッセージを送信することによって、ネットワークノードから、アクティブ時間タイマ値がゼロに設定されるように要求し得る。
【０１２４】
ステップ２では、ネットワークノードは、アクティブ時間タイマ値をゼロに設定することを許可し得、アクティブ時間タイマを含む第２のメッセージをＵＥに送信し得る。
【０１２５】
ステップ３ａでは、規則的ユーザプレーンコネクティビティのために、ＵＥは、サービス要求をネットワークノードに送信し得る。
【０１２６】
ステップ３ｂでは、ユーザプレーン最適化のために、ＵＥは、ＲＲＣ接続再開をアクセスノード（ｅＮＢ等）に送信し得、これは、アクセスノードに、メッセージ、例えば、Ｓ１−ＡＰ  ＵＥコンテキスト再開要求をネットワークノードに送信させる。
【０１２７】
ステップ４では、ネットワークノードは、以下のＳ１パラメータのいずれかまたは全て、すなわち、接続維持インジケーションが設定されているかどうか、任意の随意のタイマが含まれる必要があるかどうか、待機しているＭＴデータのタイプを検出し得る。アクセスノードは、例えば、メッセージ、例えば、Ｓ１−ＡＰ初期コンテキスト設定要求またはＳ１−ＡＰ  ＵＥコンテキスト再開（すなわち、ユーザプレーン最適化のために）内の既存のフィールドまたは新しいフィールドを延長することによって（等価５Ｇメッセージもまた、延長され得る）、接続維持インジケーションが設定されているかどうか、故に、アクセスノードがより長い時間周期にわたってＲＲＣ接続を保持する必要があるかどうかを知らされる。
【０１２８】
ステップ５では、ＵＥは、データ転送セッションの終了時、アクセス層ＲＡＩをアクセスノードに送信し得る。
【０１２９】
アクセスノードが、Ｓ１−ＡＰ初期コンテキスト設定要求またはＳ１−ＡＰ  ＵＥコンテキスト再開の間、待機しているＭＴデータ（例えば、オペレータ構成データ）が存在しないことを知らされた場合、アクセスノードは、ＲＲＣ接続を解放し得る。
【０１３０】
アクセスノードが、Ｓ１−ＡＰ初期コンテキスト設定要求またはＳ１−ＡＰ  ＵＥコンテキスト再開の間、待機しているＭＴデータが存在することを知らされた場合、アクセスノードは、ＵＥからＲＡＩが受信されているにもかかわらず、事前に構成された時間周期にわたってＲＲＣ接続を保持し得る。または、含まれるタイマによって識別されたタイマの周期にわたって接続を保持する、またはＭＴデータのサブタイプが含まれた場合、そのＭＴデータのサブタイプのための時間周期にわたって接続を保持し得る。
【０１３１】
事前に構成された時間周期は、Ｓ１−ＡＰメッセージを送信した、アクセスノードまたはネットワークノード（例えば、ＭＭＥ、ＳＧＳＮ、ＡＭＦ、ＳＭＦ等）のいずれかによって定義されてもよい。時間周期が、ネットワークノードから受信されるとき、タイマは、新しいまたは既存のＩＥ内にあり得る。タイマ値は、本願における他の実施形態、例えば、表３に従って設定されてもよい。
【０１３２】
図２３Ａ、２３Ｂ、２３Ｃ、２３Ｄ、２３Ｅ、２３Ｆ、および２３Ｇは、本開示の実施形態の例示的実装２３００を図示する。実装２３００は、３ＧＰＰ  ＴＳ３６．４１３によって規定された実装に対応し、本明細書に提案される変更点は、下線付きテキストによって示される。実装は、本明細書に説明される実施形態を実装するための多くのもののうちの可能性として考えられるソリューションである。
【０１３３】
ある実施形態では、制御プレーン最適化におけるデータ転送セッションの持続時間の制御は、以下のステップを含み得る。
【０１３４】
ステップ１では、ＵＥは、ネットワークノードに、アクティブ時間タイマ値をゼロに設定するように要求し得る。
【０１３５】
ステップ２では、ネットワークノードは、要求されたアクティブ時間タイマをゼロに設定される値で許可し得る。このように、もはやＵＥがページングをリッスンするために要求されるアイドルモード周期が存在し得ない。
【０１３６】
ステップ３では、ＮＡＳメッセージを経由したＭＯデータがネットワークノードに到着すると、ネットワークノードは、接続維持インジケーションが設定されているかどうかを検出し得る。
【０１３７】
ステップ４ａでは、接続維持インジケーションが設定されている場合、ネットワークノードは、保留中のＭＴトラフィックが送達されるまで、Ｓ１接続の解放を遅延させ得る。
【０１３８】
ステップ４ｂでは、接続維持インジケーションが設定されていない場合、ネットワークノードは、ＭＯデータ転送セッションが完了するとすぐに、ＵＥ提供ＮＡＳ解放補助インジケータに従って、Ｓ１およびＲＲＣ接続の解放をトリガし得る。
【０１３９】
ある実施形態では、ＴＡＵセッションの持続時間の制御は、以下のステップを含み得る。
【０１４０】
ステップ１では、ネットワークノードは、アクセスノードに、接続が保持される必要があるとき（例えば、接続維持インジケーションが設定されているとき）を知らせ得る。
【０１４１】
ステップ２では、ＴＡＵ要求メッセージを受信すると、ネットワークノードは、接続維持インジケーションが設定されているかどうかを検出し得る。
【０１４２】
ステップ３ａでは、ネットワークノードは、新しいフィールドをＳ１−ＡＰダウンリンクＮＡＳトランスポートメッセージ（例えば、ＮＡＳダウンリンクコンテナメッセージ）内に設定し、ＴＡＵ承認を搬送し、アクセスノードに、接続維持インジケーションが設定されている場合、ＲＲＣシグナリング接続がより長い周期にわたって保たれるものとすることを知らせ得る。
【０１４３】
ステップ３ｂでは、ネットワークノードは、新しいフィールドを設定し、接続維持インジケーションが設定されていない場合、ＴＡＵ通信が完了されると、アクセスノードがＲＲＣ接続を解放すべきであることを示し得る。
【０１４４】
ＴＡＵメッセージングの場合と同様に、アタッチメッセージでは、「ＲＲＣ接続保持」を示す、新しいフィールドが、Ｓ１−ＡＰ初期ＵＥコンテキスト設定要求内に含まれ得、接続維持インジケーションは、ＭＴトラフィックがＵＥのために利用可能であることを示す、インジケーションであり得る。さらに、前述の実施形態は、４Ｇ用語を使用するが、機能性は５Ｇシステムに、等しく適用可能であって、Ｓ１−ＡＰ初期コンテキスト（再開、要求）は、Ｎｓｍｆ＿ＰＤＵＳｅｓｓｅｉｏｎ＿ＲＥｌｅａｓｅＳＭＣｏｎｔｅｘｔ応答、Ｎ２ＳＭリソース解放要求、またはＮ１ＳＭコンテナのいずれかと置換されてもよい。
【０１４５】
図２４Ａおよび２４Ｂは、本開示の実施形態の例示的実装２４００を図示する。実装２４００は、３ＧＰＰ  ＴＳ３６．４１３によって規定された実装に対応し、本明細書に提案される変更点は、下線付きテキストによって示される。実装は、本明細書に説明される実施形態を実装するための多くのもののうちの可能性として考えられるソリューションである。
【０１４６】
本明細書に説明される種々の方法または動作は、３ＧＰＰ  ４Ｇネットワークおよび３ＧＰＰ  ５Ｇネットワーク内の任意の均等物コンポーネント内に実装されてもよい。さらに、本明細書に説明される実施形態は、全体としてまたは部分的に、組み合わせられてもよい。
【０１４７】
本明細書に説明される種々の方法または動作は、ネットワーク要素によって実装されてもよい。例示的ネットワーク要素が、図２５に関して示される。図２５では、ネットワーク要素３１１０は、プロセッサ３１２０と、通信サブシステム３１３０とを含み、プロセッサ３１２０および通信サブシステム３１３０は、前述で説明される方法または動作を実施するように協働する。
【０１４８】
さらに、本明細書に説明される種々の方法または動作は、通信デバイス（例えば、ＵＥ、ネットワークノード、ＴＥ等）によって実装されてもよい。通信デバイスの実施例が、図２６に関して下記に説明される。通信デバイス３２００は、音声およびデータ通信能力を有する双方向無線通信デバイスを備えてもよい。いくつかの実施形態では、音声通信能力は、随意である。通信デバイス３２００は、インターネット上で他のコンピュータシステムと通信する能力を有してもよい。提供される厳密な機能性に応じて、通信デバイス３２００は、実施例として、データメッセージングデバイス、双方向ページャ、無線電子メールデバイス、データメッセージング能力を伴う携帯電話、無線インターネットアプライアンス、無線デバイス、スマートフォン、モバイルデバイス、またはデータ通信デバイスと称され得る。
【０１４９】
通信デバイス３２００が双方向通信を有効にされる場合、これは、受信機３２１２および送信機３２１４、および１つ以上のアンテナ要素３２１６および３２１８、局部発振器（ＬＯ）３２１３、およびデジタル信号プロセッサ（ＤＳＰ）３２２０等の処理モジュール等の関連付けられるコンポーネントを含む、通信サブシステム３２１１を組み込んでもよい。通信サブシステム３２１１の特定の設計は、通信デバイス３２００が動作することが意図される通信ネットワーク３２１９に依存してもよい。
【０１５０】
ネットワークアクセスもまた、ネットワーク３２１９のタイプに応じて変動してもよい。いくつかのネットワークでは、ネットワークアクセスは、通信デバイス３２００の加入者またはユーザと関連付けられる。通信デバイス３２００は、ネットワーク上で動作するために、ＵＳＩＭまたはｅＵＩＣＣを使用してもよい。ＵＳＩＭ／ｅＵＩＣＣインターフェース３２４４は、典型的には、その中にＵＳＩＭ／ｅＵＩＣＣカードが挿入され得るカードスロットと類似する。ＵＳＩＭ／ｅＵＩＣＣカードは、メモリを有してもよく、多くのキー構成３２５１および識別および加入者関連情報等の他の情報３２５３を保持してもよい。
【０１５１】
ネットワーク登録またはアクティブ化プロシージャが完了されると、通信デバイス３２００は、ネットワーク３２１９を経由して通信信号を送信および受信してもよい。図示されるように、ネットワーク３２１９は、通信デバイス３２００と通信する複数の基地局を備えてもよい。
【０１５２】
アンテナ３２１６によって通信ネットワーク３２１９を通して受信される信号は、信号増幅、周波数ダウンコンバージョン、フィルタリング、チャネル選択、および同等物等の一般的受信機機能を実施し得る、受信機３２１２に入力される。受信された信号のアナログ／デジタル（Ａ／Ｄ）変換は、復調およびデコーディング等のより複雑な通信機能がＤＳＰ３２２０内で実施されることを可能にする。類似する様式で、伝送される信号が、例えば、ＤＳＰ３２２０によって、変調およびエンコーディングを含めて処理され、デジタル／アナログ（Ｄ／Ａ）変換、周波数アップコンバージョン、フィルタリング、増幅、およびアンテナ３２１８を介した通信ネットワーク３２１９を経由する伝送のために送信機３２１４に入力される。ＤＳＰ３２２０は、通信信号を処理するだけではなく、また、受信機および送信機制御を提供することも行う。例えば、受信機３２１２および送信機３２１４内の通信信号に適用される利得は、ＤＳＰ３２２０において実装される自動利得制御アルゴリズムを通して適応的に制御されてもよい。
【０１５３】
通信デバイス３２００は、概して、本デバイスの全体的動作を制御するプロセッサ３２３８を含む。データおよび音声通信を含む通信機能は、プロセッサ３２３８と協働する通信サブシステム３２１１を通して実施される。プロセッサ３２３８はまた、ディスプレイ３２２２、フラッシュメモリ３２２４、ランダムアクセスメモリ（ＲＡＭ）３２２６、補助入力／出力（Ｉ／Ｏ）サブシステム３２２８、シリアルポート３２３０、キーボードまたはキーパッド３２３２等の１つ以上のユーザインターフェース、スピーカ３２３４、マイクロホン３２３６、近距離通信サブシステム等の１つ以上の他の通信サブシステム３２４０、および、概して、３２４２と指定される任意の他のデバイスサブシステム等のさらなるデバイスサブシステムと相互作用する。他の通信サブシステム３２４０およびデバイスサブシステム３２４２は、図２６では、別個のコンポーネントとして描写されるが、サブシステム３２４０およびデバイスサブシステム３２４２（またはその一部）は、単一コンポーネントとして統合されてもよいことを理解されたい。シリアルポート３２３０は、ＵＳＢポートまたは現在公知または将来開発される他のポートを含んでもよい。
【０１５４】
図示されるサブシステムのうちのいくつかが、通信関連機能を実施する一方、他のサブシステムが、「常駐」またはオンデバイス機能を提供してもよい。とりわけ、例えば、キーボード３２３２およびディスプレイ３２２２等のいくつかのサブシステムが、通信ネットワークを経由する伝送のためのテキストメッセージの入力等の通信関連機能および計算機またはタスクリスト等のデバイス常駐機能の両方のために使用されてもよい。
【０１５５】
プロセッサ３２３８によって使用されるオペレーティングシステムソフトウェアが、代わりに、読取専用メモリ（ＲＯＭ）または類似する記憶要素（図示せず）であり得る、フラッシュメモリ３２２４等の恒久的記憶装置内に記憶されてもよい。オペレーティングシステム、具体的デバイスアプリケーション、またはその一部は、ＲＡＭ３２２６等の揮発性メモリに一時的にロードされてもよい。受信された通信信号もまた、ＲＡＭ３２２６内に記憶されてもよい。
【０１５６】
示されるように、フラッシュメモリ３２２４は、コンピュータプログラム３２５８およびプログラムデータ記憶装置３２５０、３２５２、３２５４、および３２５６の両方のための異なるエリアによって構成されてもよい。これらの異なる記憶装置タイプは、各プログラムがフラッシュメモリ３２２４の一部をそれらの独自のデータ記憶使用のために分配し得ることを示す。プロセッサ３２３８は、そのオペレーティングシステム機能に加えて、通信デバイス３２００上でのソフトウェアアプリケーションの実行を可能にし得る。例えば、少なくともデータおよび音声通信アプリケーションを含む、基本的動作を制御するアプリケーションの所定のセットが、典型的には、製造の間に通信デバイス３２００上にインストールされてもよい。他のアプリケーションが、続けて、または動的に、インストールされてもよい。
【０１５７】
アプリケーションおよびソフトウェアが、任意のコンピュータ可読記憶媒体上に記憶されてもよい。コンピュータ可読記憶媒体は、有形である、または光学（例えば、ＣＤ、ＤＶＤ等）、磁気（例えば、テープ）、または現在公知または将来開発される他のメモリ等の一過性／非一過性媒体内にあってもよい。
【０１５８】
ソフトウェアアプリケーションが、ネットワーク３２１９、補助Ｉ／Ｏサブシステム３２２８、シリアルポート３２３０、近距離通信サブシステム３２４０、または任意の他の好適なサブシステム３２４２を通して通信デバイス３２００上にロードされ、プロセッサ３２３８による実行のためにＲＡＭ３２２６または不揮発性記憶装置（図示せず）内にユーザによってインストールされてもよい。アプリケーションインストールにおけるそのような柔軟性は、通信デバイス３２００の機能性を増大させ得、強化されたオンデバイス機能、通信関連機能、または両方を提供し得る。例えば、セキュアな通信アプリケーションは、電子商取引機能および他のそのような金融取引が通信デバイス３２００を使用して実施されることを可能にし得る。
【０１５９】
データ通信モードでは、テキストメッセージまたはウェブページダウンロード等の受信された信号が、通信サブシステム３２１１によって処理され、プロセッサ３２３８に入力されてもよく、これはさらに、ディスプレイ３２２２への、または代替として、補助Ｉ／Ｏデバイス３２２８への出力のために受信された信号を処理してもよい。
【０１６０】
音声通信に関して、通信デバイス３２００の全体的動作は、受信された信号が、典型的には、スピーカ３２３４に出力され得、伝送のための信号が、マイクロホン３２３６によって生成され得ることを除いて、類似する。音声メッセージ記録サブシステム等の代替音声またはオーディオＩ／Ｏサブシステムもまた、通信デバイス３２００上に実装されてもよい。音声またはオーディオ信号出力は、主として、スピーカ３２３４を通して遂行され得るが、ディスプレイ３２２２もまた、例えば、起呼側の識別、音声通話の持続時間、または他の音声通話関連情報のインジケーションを提供するために使用されてもよい。
【０１６１】
シリアルポート３２３０は、ユーザのデスクトップコンピュータ（図示せず）との同期が望ましくあり得る携帯情報端末（ＰＤＡ）タイプデバイスにおいて実装されてもよいが、そのようなポートは、随意のデバイスコンポーネントである。そのようなポート３２３０は、ユーザが、外部デバイスまたはソフトウェアアプリケーションを通して選好を設定することを可能にしてもよく、無線通信ネットワーク３２１９以外を通して通信デバイス３２００に情報またはソフトウェアダウンロードを提供することによって、通信デバイス３２００の能力を拡張してもよい。代替ダウンロードパスが、例えば、直接、したがって、信頼性のある確かな接続を通して通信デバイス３２００上に暗号化キーをロードし、それによって、セキュアなデバイス通信を可能にするために使用されてもよい。シリアルポート３２３０はさらに、モデムとして作用するように本デバイスをコンピュータに接続するために使用されてもよい。
【０１６２】
近距離通信サブシステム等の他の通信サブシステム３２４０は、通信デバイス３２００と、必ずしも類似するデバイスである必要はない異なるシステムまたはデバイスとの間の通信を提供し得る、さらなる随意のコンポーネントである。例えば、１つ以上の他のサブシステム３２４０は、同様に有効にされたシステムおよびデバイスとの通信を提供するために、赤外線デバイスおよび関連付けられる回路およびコンポーネントまたはＢｌｕｅｔｏｏｔｈＴＭ通信モジュールを含んでもよい。サブシステム３２４０はさらに、Ｗｉ−Ｆｉ、ＷｉＭＡＸ、近距離無線通信（ＮＦＣ）、ＢＬＵＥＴＯＯＴＨ（登録商標）、ＰｒｏＳｅ（近接サービス）（例えば、サイドリンク、ＰＣ５、Ｄ２Ｄ等）および／または無線周波数識別（ＲＦＩＤ）等の非セルラー通信を含んでもよい。他の通信サブシステム３２４０および／またはデバイスサブシステム３２４２はまた、タブレットディスプレイ、キーボード、またはプロジェクタ等の補助デバイスと通信するために使用されてもよい。
【０１６３】
上記に説明される通信デバイス３２００および他のコンポーネントは、上記に説明されるアクションに関連する命令を実行することが可能である処理コンポーネントを含み得る。図２７は、本明細書に開示される１つ以上の実施形態を実装するために好適な処理コンポーネント３３１０を含む、システム３３００の実施例を図示する。プロセッサ３３１０（中央プロセッサユニットまたはＣＰＵと称され得る）に加えて、システム３３００は、ネットワークコネクティビティデバイス３３２０と、ランダムアクセスメモリ（ＲＡＭ）３３３０と、読取専用メモリ（ＲＯＭ）３３４０と、二次記憶装置３３５０と、入力／出力（Ｉ／Ｏ）デバイス３３６０とを含み得る。これらのコンポーネントは、バス３３７０を介して相互に通信し得る。ある場合には、これらのコンポーネントのうちのいくつかは、存在しない場合がある、または相互にまたは示されない他のコンポーネントと種々の組み合わせで組み合わせられてもよい。これらのコンポーネントは、単一の物理的エンティティ内に、または１つを上回る物理的エンティティ内に位置し得る。プロセッサ３３１０によってとられるものとして本明細書に説明される任意のアクションは、プロセッサ３３１０のみによって、またはデジタル信号プロセッサ（ＤＳＰ）３３８０等、図面に示される、または示されない１つ以上のコンポーネントと併せてプロセッサ３３１０によってとられ得る。ＤＳＰ３３８０は、別個のコンポーネントとして示されるが、ＤＳＰ３３８０は、プロセッサ３３１０に組み込まれ得る。
【０１６４】
プロセッサ３３１０は、これがネットワークコネクティビティデバイス３３２０、ＲＡＭ３３３０、ＲＯＭ３３４０、または二次記憶装置３３５０（ハードディスク、フロッピーディスク、または光学ディスク等の種々のディスクベースのシステムを含み得る）からアクセスし得る命令、コード、コンピュータプログラム、またはスクリプトを実行する。１つのみのＣＰＵ３３１０が示されるが、複数のプロセッサが、存在してもよい。したがって、命令は、あるプロセッサによって実行されるものとして議論され得るが、命令は、同時に、連続的に、または１つまたは複数のプロセッサによって別様に実行されてもよい。プロセッサ３３１０は、１つ以上のＣＰＵチップとして実装されてもよい。
【０１６５】
ネットワークコネクティビティデバイス３３２０は、モデム、モデムバンク、イーサ（登録商標）ネットデバイス、ユニバーサルシリアルバス（ＵＳＢ）インターフェースデバイス、シリアルインターフェース、トークンリングデバイス、無線ローカルエリアネットワーク（ＷＬＡＮ）デバイス、符号分割多重アクセス（ＣＤＭＡ）デバイス、ＧＳＭ（登録商標）無線送受信機デバイス、ユニバーサルモバイル通信システム（ＵＭＴＳ）無線送受信機デバイス、ＬＴＥ無線送受信機デバイス、新世代無線送受信機デバイス等の無線送受信機デバイス、世界規模相互運用マイクロ波アクセス（ＷｉＭＡＸ）デバイス、および／またはネットワークに接続するための他の周知のデバイスの形態をとってもよい。これらのネットワークコネクティビティデバイス３３２０は、プロセッサ３３１０が、インターネットまたは１つ以上の電気通信ネットワークまたはそれからプロセッサ３３１０が情報を受信し得る、またはそれにプロセッサ３３１０が情報を出力し得る他のネットワークと通信することを可能にし得る。ネットワークコネクティビティデバイス３３２０はまた、無線でデータを伝送および／または受信することが可能な１つ以上の送受信機コンポーネント３３２５を含み得る。
【０１６６】
ＲＡＭ３３３０は、揮発性データを記憶し、おそらく、プロセッサ３３１０によって実行される命令を記憶するために使用され得る。ＲＯＭ３３４０は、典型的には、二次記憶装置３３５０のメモリ容量よりも少ないメモリ容量を有する、不揮発性メモリデバイスである。ＲＯＭ３３４０は、命令およびおそらく命令の実行の間に読み取られるデータを記憶するために使用され得る。ＲＡＭ３３３０およびＲＯＭ３３４０の両方へのアクセスは、典型的には、二次記憶装置３３５０へのアクセスよりも速い。二次記憶装置３３５０は、典型的には、１つ以上のディスクドライブまたはテープドライブから成り、データの不揮発性記憶のために、またはＲＡＭ３３３０が全ての作業データを保持するために十分に大きくない場合、オーバーフローデータ記憶デバイスとして使用され得る。二次記憶装置３３５０は、そのようなプログラムが実行のために選択されるとき、ＲＡＭ３３３０にロードされるプログラムを記憶するために使用されてもよい。
【０１６７】
Ｉ／Ｏデバイス３３６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープリーダ、プリンタ、ビデオモニタ、または他の周知の入力／出力デバイスを含んでもよい。また、送受信機３３２５は、ネットワークコネクティビティデバイス３３２０のコンポーネントであることの代わりに、またはそれに加えてＩ／Ｏデバイス３３６０のコンポーネントであると見なされ得る。
【０１６８】
ある実施形態では、ネットワークノードにおける方法が、提供される。本方法は、ネットワークノードによって、ＵＥから、アクティブ時間要求およびＵＥのＵＥ識別子を含む、第１のメッセージを受信するステップと、ネットワークノードによって、モバイル着信（ＭＴ）データがＵＥへの伝送を待機しているかどうかに基づいて決定される、アクティブ時間応答を含む、第２のメッセージを生成するステップと、ネットワークノードによって、第２のメッセージを送信するステップとを含んでもよい。
【０１６９】
ある実施形態では、ユーザ機器（ＵＥ）における方法が、提供される。本方法は、ＵＥによって、アクティブ時間要求およびＵＥのＵＥ識別子を含む、第１のメッセージを生成するステップと、ＵＥによって、第１のメッセージをネットワークノードに送信するステップと、ＵＥによって、ネットワークノードから、アクティブ時間応答を含む、第２のメッセージを受信するステップと、ＵＥによって、アクティブ時間応答に基づいて、アクティブ時間値を決定するステップと、ＵＥによって、アクティブ時間タイマをアクティブ時間値に設定するステップと、ＵＥによって、モバイル発信（ＭＯ）トラフィックを送信するステップと、アクティブ時間タイマの満了後、ＵＥによって、電力節約モード（ＰＳＭ）に入るステップとを含んでもよい。
【０１７０】
ある実施形態では、ネットワークノードが、提供される。ネットワークノードは、メモリと、メモリに結合される、プロセッサとを備えてもよい。プロセッサは、ユーザ機器（ＵＥ）から、アクティブ時間要求およびＵＥのＵＥ識別子を含む、第１のメッセージを受信し、モバイル着信（ＭＴ）データがＵＥへの伝送を待機しているかどうかに基づいて決定される、アクティブ時間応答を含む、第２のメッセージを生成し、第２のメッセージを送信するように構成されてもよい。
【０１７１】
ある実施形態では、ユーザ機器（ＵＥ）が、提供される。ＵＥは、メモリと、メモリに結合される、プロセッサとを備えてもよい。プロセッサは、アクティブ時間要求およびＵＥのＵＥ識別子を含む、第１のメッセージを生成し、第１のメッセージをネットワークノードに送信し、ネットワークノードから、アクティブ時間応答を含む、第２のメッセージを受信し、アクティブ時間応答に基づいて、アクティブ時間値を決定し、アクティブ時間タイマをアクティブ時間値に設定し、モバイル発信（ＭＯ）トラフィックを送信し、アクティブ時間タイマの満了後、電力節約モード（ＰＳＭ）に入るように構成されてもよい。
【０１７２】
以下、すなわち、３ＧＰＰ  ＴＳ２３．６８２、３ＧＰＰ  ＴＳ２３．３０１、３ＧＰＰ  ＴＳ２４．００８、３ＧＰＰ  ＴＳ２７．００７、３ＧＰＰ  ＴＳ２４．３０１、３ＧＰＰ  ＴＳ２３．４０１、３ＧＰＰ  ＴＳ３６．４１３、および３ＧＰＰ  ＴＳ３６．３３１は、あらゆる目的のために、参照することによって本明細書に組み込まれる。
【０１７３】
いくつかの実施形態が、本開示に提供されているが、開示されるシステムおよび方法は、本開示の範囲から逸脱することなく、多くの他の具体的形態において具現化され得ることを理解されたい。本実施例は、制限的ではなく、例証的と見なされるものであり、その意図は、本明細書に与えられる詳細に限定されるものではない。例えば、種々の要素またはコンポーネントが、別のシステムにおいて組み合わせられるまたは統合されてもよい、またはある特徴が、省略されるまたは実装されない場合がある。
【０１７４】
また、離散または別個のものとして種々の実施形態に説明および例証される技法、システム、サブシステム、および方法は、本開示の範囲から逸脱することなく、他のシステム、モジュール、技法、または方法と組み合わせられるまたは統合されてもよい。相互に結合される、または直接結合される、または通信するものとして示されるまたは議論される他のアイテムは、電気的に、機械的に、または別様にかかわらず、あるインターフェース、デバイス、または中間コンポーネントを通して間接的に結合されるまたは通信してもよい。変更、代用、および改変の他の実施例が、当業者によって確認可能であり、本明細書に開示される精神および範囲から逸脱することなく行われ得る。
【図１】
2021520731.tif 000007
【図２】
2021520731.tif 000008
【図３】
2021520731.tif 000009
【図４】
2021520731.tif 000010
【図５】
2021520731.tif 000011
【図６Ａ】
2021520731.tif 000012
【図６Ｂ】
2021520731.tif 000013
【図６Ｃ】
2021520731.tif 000014
【図６Ｄ】
2021520731.tif 000015
【図６Ｅ】
2021520731.tif 000016
【図６Ｆ】
2021520731.tif 000017
【図７】
2021520731.tif 000018
【図８Ａ】
2021520731.tif 000019
【図８Ｂ】
2021520731.tif 000020
【図８Ｃ】
2021520731.tif 000021
【図８Ｄ】
2021520731.tif 000022
【図８Ｅ】
2021520731.tif 000023
【図９】
2021520731.tif 000024
【図１０Ａ】
2021520731.tif 000025
【図１０Ｂ】
2021520731.tif 000026
【図１１】
2021520731.tif 000027
【図１２Ａ】
2021520731.tif 000028
【図１２Ｂ】
2021520731.tif 000029
【図１３】
2021520731.tif 000030
【図１４Ａ】
2021520731.tif 000031
【図１４Ｂ】
2021520731.tif 000032
【図１４Ｃ】
2021520731.tif 000033
【図１４Ｄ】
2021520731.tif 000034
【図１５】
2021520731.tif 000035
【図１６】
2021520731.tif 000036
【図１７】
2021520731.tif 000037
【図１８】
2021520731.tif 000038
【図１９Ａ】
2021520731.tif 000039
【図１９Ｂ】
2021520731.tif 000040
【図１９Ｃ】
2021520731.tif 000041
【図２０】
2021520731.tif 000042
【図２１Ａ】
2021520731.tif 000043
【図２１Ｂ】
2021520731.tif 000044
【図２１Ｃ】
2021520731.tif 000045
【図２１Ｄ】
2021520731.tif 000046
【図２１Ｅ】
2021520731.tif 000047
【図２１Ｆ】
2021520731.tif 000048
【図２２】
2021520731.tif 000049
【図２３Ａ】
2021520731.tif 000050
【図２３Ｂ】
2021520731.tif 000051
【図２３Ｃ】
2021520731.tif 000052
【図２３Ｄ】
2021520731.tif 000053
【図２３Ｅ】
2021520731.tif 000054
【図２３Ｆ】
2021520731.tif 000055
【図２３Ｇ】
2021520731.tif 000056
【図２４Ａ】
2021520731.tif 000057
【図２４Ｂ】
2021520731.tif 000058
【図２５】
2021520731.tif 000059
【図２６】
2021520731.tif 000060
【図２７】
2021520731.tif 000061
【国際調査報告】
2021520731.tif 000062
2021520731.tif 000063
2021520731.tif 000064
2021520731.tif 000065